【事件の表示】
　特許第６２５０２７９号発明「サムターン装置およびこれを備えた扉錠」の特許異議申立事件について、次のとおり決定する。
【結　論】
　特許第６２５０２７９号の明細書及び特許請求の範囲を訂正請求書に添付された訂正明細書及び特許請求の範囲のとおり、訂正後の請求項〔１−６〕について訂正することを認める。 
　特許第６２５０２７９号の請求項１ないし６に係る特許を維持する。
【理　由】
第１　手続の経緯 
　特許第６２５０２７９号の請求項１〜６に係る特許についての出願は、平成２４年１２月２８日を出願日とし、平成２９年１２月１日付けでその特許権の設定登録がされ、平成２９年１２月２０日に特許掲載公報が発行された。その後、平成３０年６月１３日差出で特許異議申立人高橋繁（以下「申立人Ａ」という。）より、同年６月１９日に特許異議申立人水野淳子（以下「申立人Ｂ」という。）より、請求項１〜６に対してそれぞれ特許異議の申立てがされ、同年９月２７日付けで取消理由（発送日同じ）が通知され、その指定期間内である同年１１月２６日に意見書の提出及び訂正請求がされ、平成３１年２月８日に申立人Ａから、平成３１年２月１２日に申立人Ｂから、それぞれ意見書が提出されたものである。
第２　訂正請求について
１　訂正の内容 
　本件訂正請求による訂正の内容は以下のとおりである。（下線は訂正箇所を示す。） 
（１）訂正事項１
　請求項１に、
「建物の外部出入口若しくは部屋の出入口に使用される扉に埋設されてデッドボルトが進退可能に設けられてなる錠ケースに対して、室外側から取り付けられて前記デッドボルトを操作するシリンダーと共に、室内側から取り付けられて前記デッドボルトを操作するサムターン装置であって、
　回転動作により前記デッドボルトを進退させるか、デッドボルトの後退規制を解除するサムターン軸と、
　このサムターン軸を回転可能に保持する胴部材とを備え、
　前記サムターン軸と、前記胴部材との間に、第一シール材が設けられていることを特徴とするサムターン装置。」
と記載されているのを、
「
水害や津波によって水没しうる
中空の外開き
扉面に
ラッチは操作することなく
　回転動作により前記デッドボルトを進退させるか、デッドボルトの後退規制を解除するサムターン軸と、
　このサムターン軸を回転可能に保持する胴部材とを備え、
　前記サムターン軸と前記胴部材との間
であって、軸方向中途部に周方向に沿って環状に形成されてなる取付溝に装着された〇リングからなる
　請求項１の記載を引用する請求項２〜６も同様に訂正する。
（２）訂正事項２
　請求項２に、
「前記胴部材と扉との間に第二シール材が設けられることを特徴とする請求項１に記載のサムターン装置。」
と記載されているのを、
「前記胴部材と
前記外開き
　請求項２を引用する請求項３〜６も同様に訂正する。
（３）訂正事項３
   請求項３に、
「前記胴部材には、筒状のカラーが取り付けられており、このカラーと扉との間に前記第二シール材が設けられることを特徴とする請求項２に記載のサムターン装置。」
と記載されているのを、
「前記胴部材には、筒状のカラーが取り付けられており、このカラーと
前記外開き
　請求項３を引用する請求項４〜６も同様に訂正する。
（４）訂正事項４
  請求項５に、
「前記デッドボルトが電動で進退するか、後退を規制される電気錠とされ、その電動部は、前記錠ケースに内蔵されていることを特徴とする請求項１から請求項４のいずれかに記載の扉錠。」
と記載されているのを、
「前記デッドボルトが電動で進退するか、後退を規制される電気錠とされ、その電動部は、前記錠ケースに内蔵されていることを特徴とする請求項１から請求項４のいずれかに記載の
サムターン装置を備える
に訂正する。
　請求項５を引用する請求項６も同様に訂正する。
（５）訂正事項５
　明細書の段落【０００７】に、
「本発明は、前記課題を解決するためになされたもので、請求項１に記載の発明は、建物の外部出入口若しくは部屋の出入口に使用される扉に埋設されてデッドボルトが進退可能に設けられてなる錠ケースに対して、室外側から取り付けられて前記デッドボルトを操作するシリンダーと共に、室内側から取り付けられて前記デッドボルトを操作するサムターン装置であって、回転動作により前記デッドボルトを進退させるか、デッドボルトの後退規制を解除するサムターン軸と、このサムターン軸を回転可能に保持する胴部材とを備え、前記サムターン軸と、前記胴部材との間に、第一シール材が設けられていることを特徴とするサムターン装置である。」
と記載されているのを、
「本発明は、前記課題を解決するためになされたもので、請求項１に記載の発明は、
水害や津波によって水没しうる
中空の外開き
扉面に
ラッチは操作することなく
であって、軸方向中途部に周方向に沿って環状に形成されてなる取付溝に装着されたＯリングからなる
に訂正する。
（６）訂正事項６
　明細書の段落【０００８】、【００１０】に「扉」と記載されているのを、「
前記外開き
（７）訂正事項７
　明細書の段落【００１３】に「扉錠」と記載されているのを、「
サムターン装置を備える
２　訂正の適否 
（１）訂正事項１について
　ア　訂正の目的の適否について
　訂正事項１は、建物について「水害や津波によって水没しうる」、扉について「中空の外開き」扉、サムターン装置について「扉面に」取り付けられて「ラッチは操作することなく」、第一シール材について「軸方向中途部に周方向に沿って環状に形成されてなる取付溝に装着された〇リングからなる」という限定をしたものといえるから、特許請求の範囲の減縮を目的とするものである。
　イ　実質上特許請求の範囲を拡張し、又は変更するか否かについて 
　上記アで説示したように、訂正事項１は建物、扉、サムターン装置、第一シール材について限定したものであるから、実質上特許請求の範囲を拡張し、又は変更するものではない。 
　ウ　願書に添付した明細書、特許請求の範囲又は図面（以下「明細書等」という。）に記載した事項の範囲内の訂正であるか否かについて 
　「水害や津波によって水没しうる」の訂正については、明細書に「【０２２８】・・・また、外部出入口に使用することにより、水害や津波によって建物が水没しても、水の建屋内への進入を防ぐことができる。」と記載されている。
　「中空の外開き」扉の訂正については、図１、３から看て取れる事項である。
　サムターン装置が「扉面に」取り付けられているとの訂正については、図１、３から看て取れる事項である。
　「ラッチは操作することなく」の訂正については、図４、５、１７〜１９から看て取れる事項である。
　第一シール材が「軸方向中途部に周方向に沿って環状に形成されてなる取付溝に装着された〇リングからなる」訂正については、明細書に「【００３６】また、サムターン軸５１には、軸方向中途部に断面矩形状の取付溝６３が、周方向に沿って環状に形成されている。【００３７】・・・【００３８】サムターン軸５１は、取付溝６３にシール材６９が装着された状態で、胴部材５３の軸穴６５に差し込まれる。本実施例では、シール材６９としてＯリングが用いられる。」と記載されている。
　以上のとおり、訂正事項１は明細書等に記載されているものと認められる。 
　エ　申立人Ａの主張について
　申立人Ａは、「「建物」という用語自体の概念が、当業者や一般の需要者に普通一般に明確である場合に於いて、本件訂正は、｛水害や津波によって水没しうる｝という新たな特定事項を前記建物の用語に追加（付加）することにより、恰も減縮したようにした。
　しかしながら、本件訂正は、外見上特許請求の範囲の減縮に見えるものの、前記水害や津波という自然災害の時期と規模、河川や地形、堤防の有無、建物の構造と設置場所、建物を囲む壁、パッキンを備えた扉枠の構造等の不確定要素や具体的条件によっては、（ａ）水没する建物と、（ｂ）水没しない建物の範囲が変わる以上、水没しうる建物の意味がかえって不明確になり、第三者は、平成３０年１１月２６日付の本件訂正発明の技術的範囲に被疑物件が含まれるか否か、その基準を、訂正の根拠となった本件訂正明細書の段落０２２８の記載に求めざるを得なくなる。
・・・
　しかるに、前述の段落０２２８には、「………、水害や津波によって建物が水没しても、………」と記載しているだけであり、前記（ａ）の場合と（ｂ）の場合とを区別する基準や実証例が全く存在しない。
　そもそも、段落０２２８の記述は「仮定条件（もし、なになにならば）」であり、このような仮定条件を単純に「水没しうる」に言い換えたとしても、前記（ａ）の場合と（ｂ）の場合とを区別する明確な基準が本件訂正明細書のどこにも記載されていない以上、訂正事項の同一性や範囲を実質的に変更又は拡大するものであると言える。」（平成３１年２月８日付意見書１頁下から１２行〜２頁１８行）旨主張している。
　しかしながら、「水害や津波によって水没しうる」の訂正については、その意味していることは文字通り解することができるから、明確な記載であるといえる。そして、「建物」に対して「水害や津波によって水没しうる」との限定を行っているから、上記したように実質上特許請求の範囲を拡張し、又は変更するものではないことは明らかである。
（２）訂正事項２、３について
　ア　訂正の目的の適否について
　訂正事項２、３は、扉について「外開き」という限定をしたものといえるから、特許請求の範囲の減縮を目的とするものである。
　イ　実質上特許請求の範囲を拡張し、又は変更するか否かについて 
　上記アで説示したように、訂正事項２、３は扉について限定したものであるから、実質上特許請求の範囲を拡張し、又は変更するものではない。 
　ウ　明細書等に記載した事項の範囲内の訂正であるか否かについて 
　「外開き」の訂正については、明細書に「【００２２】本実施例の扉錠１が使用される扉３は、開き戸形式とされ、たとえば室外側へ開く外開き扉とされる。」と記載されているから、訂正事項２、３は明細書等に記載されているものと認められる。
（３）訂正事項４について
　ア　訂正の目的の適否について
　訂正事項４は、扉錠について「サムターン装置を備える」という限定をしたものといえるから、特許請求の範囲の減縮を目的とするものである。
　イ　実質上特許請求の範囲を拡張し、又は変更するか否かについて 
　上記アで説示したように、訂正事項４は扉錠について限定したものであるから、実質上特許請求の範囲を拡張し、又は変更するものではない。 
　ウ　明細書等に記載した事項の範囲内の訂正であるか否かについて 
　「サムターン装置を備える」の訂正については、明細書に「【００２４】本実施例１の扉錠１は、本締りが可能な錠とされ、デッドボルト１５が進退可能に設けられた錠ケース１７と、鍵Ｋの操作によりデッドボルト１５を進退させるシリンダー装置１９と、ツマミの操作によりデッドボルト１５を進退させるサムターン装置２１とを主要部に備える。本実施例１では、扉３の室外側にシリンダー装置１９が取り付けられ、扉３の室内側（実験室側）にサムターン装置２１が取り付けられる。」と記載されているから、訂正事項４は明細書等に記載されているものと認められる。
（４）訂正事項５〜７について
　訂正事項５〜７は、上記訂正事項１〜４の訂正に伴って、特許請求の範囲の記載と発明の詳細な説明の記載を整合させるものであるから、明瞭でない記載の釈明を目的とするものである。
　また、訂正事項５〜７は、明細書等に記載した事項の範囲内の訂正であって、実質上特許請求の範囲を拡張し、又は変更するものでもないことは明らかである。
（５）一群の請求項について 
　訂正前の請求項１〜６は、請求項２〜６が、訂正の請求の対象である請求項１の記載を引用する関係にあるから、訂正前の請求項１〜６は、訂正前において一群の請求項に該当するものである。したがって、訂正の請求は、特許法第１２０条の５第４項に規定する一群の請求項ごとにされたものである。 
３　小括 
　したがって、上記訂正請求による訂正事項１〜７は、特許法第１２０条の５第２項ただし書第１号、第３号に掲げる事項を目的とするものであり、かつ、同条第９項で準用する同法第１２６条第５項、第６項の規定に適合するので、訂正後の請求項〔１〜６〕について訂正を認める。 
第３　特許異議の申立てについて
１　訂正後の請求項１〜６に係る発明 
　上記訂正請求により訂正された請求項１〜６に係る発明（以下、「本件発明１」等、あるいはまとめて「本件発明」という。）は、以下のとおりのものである。（下線は訂正箇所を示す。） 
「【請求項１】
　
水害や津波によって水没しうる
中空の外開き
扉面に
ラッチは操作することなく
　回転動作により前記デッドボルトを進退させるか、デッドボルトの後退規制を解除するサムターン軸と、
　このサムターン軸を回転可能に保持する胴部材とを備え、
　前記サムターン軸と前記胴部材との間
であって、軸方向中途部に周方向に沿って環状に形成されてなる取付溝に装着された〇リングからなる
ことを特徴とするサムターン装置。
【請求項２】
　前記胴部材と
前記外開き
ことを特徴とする請求項１に記載のサムターン装置。
【請求項３】
　前記胴部材には、筒状のカラーが取り付けられており、
　このカラーと
前記外開き
　ことを特徴とする請求項２に記載のサムターン装置。
【請求項４】
　前記胴部材と、それを取り付けるためのネジとの間に第三シール材が設けられる
ことを特徴とする請求項１から請求項３のいずれかに記載のサムターン装置。
【請求項５】
　前記デッドボルトが電動で進退するか、後退を規制される電気錠とされ、
　その電動部は、前記錠ケースに内蔵されている
　ことを特徴とする請求項１から請求項４のいずれかに記載の
サムターン装置を備える
【請求項６】
　前記錠ケースに進退可能に設けられ、戸先側へ突出するよう付勢されるラッチと、
　このラッチを後退させる室内側操作部と、
　この室内側操作部を回転可能に保持する座とをさらに備え、
　前記室内側操作部と、前記座との間に第四シール材が設けられる
　ことを特徴とする請求項５に記載の扉錠。」
２　取消理由の概要
　訂正前の請求項１〜６に係る特許に対して平成３０年９月２７日付けで特許権者に通知した取消理由の要旨は、次のとおりである。
（１）本件特許の請求項１〜３に係る発明は、本件特許の出願前に頒布された刊行物２に記載された発明であって、特許法第２９条第１項第３号に該当し、特許を受けることができないから、その発明に係る特許は取り消すべきものである。 
（２）本件特許の請求項１〜６に係る発明は、本件特許の出願前に頒布された刊行物１〜刊行物１９に記載された発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。 
　刊行物１：特開２００７−３３２６７２号公報（申立人Ａの甲第１号証） 
　刊行物２：実願昭５３−４８５９１号（実開昭５４−１５３５９２号）のマイクロフィルム（申立人Ａの甲第２号証） 
　刊行物３：特開２０１２−５７３１６号公報（申立人Ａの甲第３号証） 
　刊行物４：実願昭５８−１０５７０３号（実開昭６０−１４０６５号）のマイクロフィルム（申立人Ａの甲第４号証、申立人Ｂの甲第３号証） 
　刊行物５：特開２００８−６３８８７号公報（申立人Ａの甲第５号証、申立人Ｂの甲第１０号証） 
　刊行物６：特開２００９−２２８２８７号公報（申立人Ａの甲第６号証） 
　刊行物７：実願平５−１０７１２号（実開平６−７１８１１号）のＣＤ−ＲＯＭ（申立人Ａの甲第７号証） 
　刊行物８：特開２００８−１２７９０４号公報（申立人Ａの甲第８号証） 
　刊行物９：米国特許４１４３８９７号明細書（申立人Ａの甲第９号証） 
　刊行物１０：仏国特許出願公開２３９５３７９号明細書（申立人Ａの甲第１０号証） 
　刊行物１１：独国実用新案２０２０１００１５３９２号明細書（申立人Ａの甲第１１号証） 
　刊行物１２：特開平９−１７７３９２号公報（申立人Ｂの甲第１号証） 
　刊行物１３：登録実用新案３０１１７４６号公報（申立人Ｂの甲第２号証） 
　刊行物１４：実願昭５８−１９９３１６号（実開昭６０−１０８９８３号）のマイクロフィルム（申立人Ｂの甲第４号証） 
　刊行物１５：実願昭６１−１０４４１４号（実開昭６３−１０１９６号）のマイクロフィルム（申立人Ｂの甲第５号証） 
　刊行物１６：実願昭６０−３４２５４号（実開昭６１−１５０９６９号）のマイクロフィルム（申立人Ｂの甲第６号証） 
　刊行物１７：実願昭５５−１０４９９０号（実開昭５７−２９６４５号）のマイクロフィルム（申立人Ｂの甲第７号証） 
　刊行物１８：特開２００２−２５０３２９号公報（申立人Ｂの甲第８号証） 
　刊行物１９：登録実用新案３１２５８３５号公報（申立人Ｂの甲第９号証） 
３　刊行物の記載 
（１）刊行物１には、次の記載があり、以下の発明（以下「刊１発明」という。）が記載されていると認められる。（下線は決定で付与。以下同じ。） 
　ア　「【技術分野】
【０００１】
　本発明は、
住宅の玄関扉などに設けられる扉錠に関するものである
　イ　「【発明を実施するための最良の形態】
【００１４】
　以下、本発明の扉錠について、更に詳細に説明する。ここでは、本発明の扉錠が玄関扉に適用される場合について説明する。なお、以下の説明においては、扉が閉鎖した状態において室内外方向を前後方向とし、扉の幅方向を左右方向とする。
【００１５】
　図１から図３は、本発明の扉錠の一実施例を示す図であり、図１は本実施例の扉錠の扉への取付状態を戸先側から見た図である。また、図２は、本実施例の扉錠の分解斜視図であり室外側から見た図である。図３は、本実施例の扉錠の分解斜視図であり室内側から見た図である。
　また、図４は、扉に内蔵された錠ケースを室内側から見た図である。
　さらに、図５は、図４の錠ケースの蓋を一部破断した図である。
【００１６】
　本実施例の扉錠１は、
扉３の戸先側端部に内蔵される錠ケース５と、この錠ケース５に設けられ、錠ケース５の戸先側端面から出没可能なデッドボルト２１と、扉３の室外面に設けられ、キーの回転操作によりデッドボルト２１を進退させるシリンダー装置４１と、扉３の室内面に設けられ、ツマミ７９の回転操作によりデッドボルト２１を進退させるサムターン装置６５とを主要部に備える
【００１７】
　錠ケース５は、矩形箱状とされる。本実施例の錠ケース５は、室内側へ開口するケース本体７と、その開口を閉じるようにケース本体７に重ね合わされてネジで固定される矩形板状の蓋９とを備える。
【００１８】
　錠ケース５は、扉３の戸先側端部の上下方向中央部に取り付けられる。具体的には、図２〜図５に示すように、錠ケース５の左側端部には、矩形板状のフロント裏板１１が一体的に設けられている。そして、図５に示すように、錠ケース５が扉３に埋め込まれると共に、フロント裏板１１が扉３の戸先側端面に重ね合わされて、フロント裏板１１を介して扉３の戸先側端部に取付ネジ１３がねじ込まれることで錠ケース５が扉３に固定される。
【００１９】
　また、後述する係止ピン９３，９９が取り付けられた後、フロント裏板１１に矩形板状のフロント板１５が重ね合わされる。そして、フロント板１５から錠ケース５へフロント取付ネジ１７がねじ込まれることで、フロント板１５がフロント裏板１１に固定される。
　なお、フロント裏板１１およびフロント板１５には、デッドボルト２１が通される貫通穴１１ａ，１５ａがそれぞれ形成されている。
【００２０】
　錠ケース５には、シリンダー装置４１に差し込まれるキーの回転操作またはサムターン装置６５のツマミ７９の回転操作により回転するカム１９と、このカム１９の回転動作により戸先側端面から出没可能とされるデッドボルト２１が収容されている。」
　ウ　「【００３５】
　図９および図１０は、サムターン装置を示す図であり、図９は斜視図、図１０（ａ）は正面図、（ｂ）は左側面図、（ｃ）は平面図、（ｄ）は背面図である。
　
サムターン装置６５は、サムターン胴６６にサムターン軸６７が差し込まれて構成されている
【００３６】
　サムターン胴６６は、略段付き円柱形状とされ、その先端側小径部６９には、先端側へ突出して取付部７１が形成されている。
　取付部７１は、円の左右両端部が上下方向（直径方向）に沿う直線により前後方向に切り欠かれた略小判形状とされる。なお、本実施例では、取付部７１の上端部は、先端側へ若干突出している。
　また、サムターン胴６６の基端部には、径方向外側へ若干拡径して拡径部７３が形成されている。
【００３７】
　サムターン胴６６には、取付部７１を挟んだ左右両側に先端側へ開口するピン穴７５，７５が形成されている。つまり、サムターン胴６６には、左右に離間して二つのピン穴７５，７５が設けられている。
　ピン穴７５は、シリンダー装置４１のガイドピン５３の外径に対応している。
【００３８】
　本実施例では、ピン穴７５の一部が、取付部７１の左右側面に重なって形成されており、取付部７１の左右側面には、円弧状の溝７１ａが前後方向に沿って形成されている。
　つまり、本実施例では、取付部７１の左右両側面に、円弧状の溝７１ａ，７１ａがピン穴７５，７５の周側面に連続して前後方向に沿って形成されている。
【００３９】
　また、取付部７１には、後述する係止ピン９９がはめ込まれる貫通穴７７が左右方向に沿って形成されている。本実施例では、ピン穴７５より上方位置に貫通穴７７が形成されている。
【００４０】
　
サムターン軸６７は、丸棒状であり、その基端部には矩形板状のツマミ７９が一体的に設けられており、ツマミ７９を回転させることでサムターン軸６７が一体回転する
【００４１】
　
サムターン軸６７は、サムターン胴６６に前後方向に沿って形成された貫通穴に回転可能にはめ込まれて設けられる
　サムターン胴６６にサムターン軸６７が取り付けられた状態では、ツマミ７９は、サムターン胴６６より基端側へ配置されており、サムターン軸６７の先端部は、取付部７１から先端側へ突出して配置されている。
　なお、サムターン胴６６にサムターン軸６７が設けられた状態では、サムターン軸６７は前後方向の移動が規制されている。」
　エ　「【００５２】
　このように
シリンダー装置４１が錠ケース５に固定された状態で、サムターン装置６５が扉３の室内面側から錠ケース５に取り付けられる
　図１３は、図１１および図１２の状態から錠ケースにサムターン装置が取り付けられた状態を戸先側から見た概略図であり、図１４は図１３の平面図である。
【００５３】・・・
【００５４】・・・
【００５５】・・・
【００５６】
　また、
サムターン装置６５には、シリンダー装置４１と同様に、サムターン胴６６との間にコイルバネ１０１を介在させた状態でカラー１０３が設けられる
　このように、錠ケース５にシリンダー装置４１およびサムターン装置６５が取り付けられた状態で、フロント裏板１１にフロント板１５がネジで固定される。」
　オ　上記ア〜エ及び図１〜１５の記載と技術常識から、
サムターン装置６５はラッチは操作することなくデッドボルトを操作する
　カ　上記ア〜オの記載を踏まえると以下の刊１発明が記載されていると認められる。 
  
刊１発明 
「住宅の玄関扉などに設けられる扉錠に関するものであり、
　扉３の戸先側端部に内蔵される錠ケース５と、この錠ケース５に設けられ、錠ケース５の戸先側端面から出没可能なデッドボルト２１と、扉３の室外面に設けられ、キーの回転操作によりデッドボルト２１を進退させるシリンダー装置４１と、扉３の室内面に設けられ、ツマミ７９の回転操作によりデッドボルト２１を進退させるサムターン装置６５とを主要部に備え、
　サムターン装置６５はラッチは操作することなくデッドボルトを操作しており、
　サムターン装置６５は、サムターン胴６６にサムターン軸６７が差し込まれて構成されており、
　サムターン軸６７は、丸棒状であり、その基端部には矩形板状のツマミ７９が一体的に設けられており、ツマミ７９を回転させることでサムターン軸６７が一体回転し、
　サムターン軸６７は、サムターン胴６６に前後方向に沿って形成された貫通穴に回転可能にはめ込まれて設けられており、
　シリンダー装置４１が錠ケース５に固定された状態で、サムターン装置６５が扉３の室内面側から錠ケース５に取り付けられ、
　サムターン装置６５には、シリンダー装置４１と同様に、サムターン胴６６との間にコイルバネ１０１を介在させた状態でカラー１０３が設けられる、
　扉錠。」 
（２）刊行物２には、次の記載があり、以下の発明（以下「刊２発明」という。）が記載されていると認められる。
　ア　「本考案は、シリンダ錠に係り、特に、作動が円滑で、しかも
防水および防塵構造を有するシリンダ錠に関する
  
　イ　「以下本考案の実施例を第２図ないし第７図を参照して説明する。
　第２図において符号１は前記錠箱を示し、この
錠箱１は、扉Ｄの自由端縁部に形成された錠箱洞９内に収納されており、内部には、前記ノブ２，３やシリンダ５などの回動に関連して、ラツチ１１および図示しないデツドボルトを出し入れ操作する機構が設けられている
　一方、
扉Ｄの自由端縁部には、上記ラツチ１１などの出し入れ操作機構の中心軸線と同軸に、扉表面から上記錠箱洞９に至る切欠孔８，８が開口しており、扉Ｄの外側および内側表面における切欠孔８の開口を閉塞するように、錠箱１を挾むようにして外側および内側ノブ２，３が同軸的に配置されている
扉Ｄの外側表面には、切欠孔８の開口を覆うようにノブ座１２が取付けられており、このノブ座１２には、外側握り玉１３に同軸かつ一体的に結合された連結筒１４が回動自在に支承されている。この連結筒１４の内端縁には一対のラツチバー１５，１５が結合されており、これらのラツチバー１５，１５の内端部は、錠箱１のラツチ操作部材（図示せず）の係合孔に挿入され、外側握り玉１３とラツチ操作部材とを連結している
上記連結筒１４には、シリンダ５およびクラツチ６が嵌合しており、このクラツチ６の内端部にシリンダ５と同軸に取付けられた前記キーバー４は、錠箱１のデツドボルト操作部材（図示せず）を貫通して、内側ノブ３のサムターン７に接続されている
内側ノブ３の構造は、シリンダ５およびクラツチ６を除けば外側ノブ２のそれと同様である
　他方、前記
錠箱１とノブ座１２との間におけるキーバー４の外側には保護カバー１６が配置されている
　上記のように構成された本考案によるシリンダ錠は、切欠孔８の内面にけばやささくれなどが生じていても、けばなどは上記保護カバー１６に遮ぎられてキーバー４の回動に干渉しない。」（４頁下から６行〜６頁下から６行）
  
　ウ　「さらにまた、経年使用や扉とノブとの熱膨張差などによって、扉Ｄとノブ座１２との間にわずかでも隙間が生ずると、特に外側ノブ側では外部から水気や塵埃などが侵入することかあるが、本考案によるシリンダ錠においては、これら
水気などは保護カバー１６に遮ぎられて機構部に侵入し難くなる
　エ　「なお、例えば浴室などの錠の場合には、上記とは反対に、扉の内面側に保護カバーを設けた方がよい。また、
保護カバー１６のフランジは、例えば水滴などか侵入した場合、水切りか良いという利点がある
　オ　「さらにまた、
保護カバーを防水および防塵の機能を果す
　カ　上記ア〜オの記載を踏まえると以下の刊２発明が記載されていると認められる。 
刊２発明
「防水および防塵構造を有するシリンダ錠に関するものであり、
　錠箱１は、扉Ｄの自由端縁部に形成された錠箱洞９内に収納されており、内部には、ノブ２，３やシリンダ５などの回動に関連して、ラツチ１１およびデツドボルトを出し入れ操作する機構が設けられており、
　扉Ｄの自由端縁部には、上記ラツチ１１などの出し入れ操作機構の中心軸線と同軸に、扉表面から上記錠箱洞９に至る切欠孔８，８が開口しており、扉Ｄの外側および内側表面における切欠孔８の開口を閉塞するように、錠箱１を挾むようにして外側および内側ノブ２，３が同軸的に配置されており、
　扉Ｄの外側表面には、切欠孔８の開口を覆うようにノブ座１２が取付けられており、このノブ座１２には、外側握り玉１３に同軸かつ一体的に結合された連結筒１４が回動自在に支承されており、この連結筒１４の内端縁には一対のラツチバー１５，１５が結合されており、これらのラツチバー１５，１５の内端部は、錠箱１のラツチ操作部材の係合孔に挿入され、外側握り玉１３とラッチ操作部材とを連結しており、
　上記連結筒１４には、シリンダ５およびクラツチ６が嵌合しており、このクラツチ６の内端部にシリンダ５と同軸に取付けられたキーバー４は、錠箱１のデツドボルト操作部材を貫通して、内側ノブ３のサムターン７に接続されており、
　内側ノブ３の構造は、シリンダ５およびクラツチ６を除けば外側ノブ２のそれと同様であり、
　錠箱１とノブ座１２との間におけるキーバー４の外側には保護カバー１６が配置されており、
　保護カバー１６は防水および防塵の機能を果す、
　シリンダ錠。」
（３）刊行物３には、次の記載がある。
　ア　「【発明が解決しようとする課題】
【０００４】
　しかしながら、上記した従来の施錠装置では、施錠装置の内部に生じる隙間を介して、屋外の空気や雨水などが屋内に侵入するといった可能性が皆無ではなく、この種の問題は、近年、数多く建設されている高層マンションなどでは、特に懸念される。
【０００５】
　本発明は、上記した課題を解決すべくなされたものであり、施錠装置の内部に生じる隙間を介して屋外の空気や雨水などが屋内に侵入するのを防止することのできる錠前用サムターンを提供することを目的とするものである。」
　イ　「【００１１】
　本発明の実施の形態に係る施錠装置１は、開閉体である扉２に内蔵される錠箱（図示省略）と、扉２の屋外側に露出するシリンダー錠（図示省略）と、扉２の屋内側に露出する回転式の錠前用サムターン３とを備えて構成されている。そして、前記錠箱にはラッチボルトやデッドボルト（いずれも図示省略）、及びデッドカム４２などが設けられており、錠前用サムターン３に回動操作力を入力することによって、或いは、前記シリンダー錠をキーによって回動することによって、前記ラッチボルト及び前記デッドボルトが扉２の木口から進退可能となっている。
【００１２】
  錠前用サムターン３は、前記錠箱に固定される筒状支持部４と、筒状支持部４に回動自在に支持される筒状軸部材５と、扉２の屋内側から筒状軸部材５に取り付けられる摘み部６と、摘み部６の反対側から筒状軸部材５に取り付けられるコア部７とを備えて構成されている。
・・・
【００１５】
　筒状軸部材５は、軸方向に沿って略円筒形に形成され、屋内側端部の上下にはそれぞれ内側に入り込むように係止片２０が形成されている。また、筒状軸部材５の屋外側端面には、４個の欠込み部２１が互いに隣接する欠込み部２１との中心角が９０°となるように形成されており、また、筒状軸部材３の屋外側外周部には、上下に対向するようにそれぞれ掛止孔２２が形成されている。
【００１６】
　
摘み部６は、平板状に形成され、屋内側に露出して設けられる操作部２３と、筒状軸部材５に挿入される挿入部２４とから構成されている
摘み部６が筒状軸部材５に固定されるようになっている
【００１７】
　コア部７は、軸方向に沿って形成され、筒状軸部材５に挿入される小径部２６と、小径部２６より大径でデッドカム４２の凹部４２ａに挿入される大径部２７とを備えている。小径部２６には、４個の小突出部２８が互いに隣接する小突出部２８との中心角が９０°となるように断面十字形状に形成されていると共に、筒状軸部材５の掛止孔２２に対応した位置に掛止凹部２９が形成され、掛止孔２２及び掛止凹部２９にクリップ３０を掛止させることにより、
コア部７が筒状軸部材５に固定されるようになっている
【００１８】
　大径部２７には、４個の大突出部３１が互いに隣接する大突出部３１との中心角が９０°となるように断面十字形状に形成され、大突出部３１と小突出部２８との間に段差部３２が形成されている。大径部２７の大突出部３１は筒状軸部材５の欠込み部２１に係合し、欠込み部２１に段差部３２が当接することにより筒状軸部材５に対するコア部７の挿入深さが規制されるようになっている。
【００１９】
　
コア部７の大径部２７には、隙間閉塞部材３３が設けられている。この隙間閉塞部材３３は、大径部２７に圧入される円形板状のスペーサ３４と、スペーサ３４に貼付される弾性体３５とから構成されている
【００２０】
　スペーサ３４は、図２に示されているように、円形板に、大径部２７に挿入可能な通孔３６が形成されて構成され、この通孔３６は、円形部分３７に４個の凸部３８が放射状に均等間隔（中心角９０°）で形成されて構成されている。円形部３７の４箇所の円弧部分にはそれぞれリブ突起３９が突設されており、このリブ突起３９によってスペーサ３４が大径部２７に圧入されるようになっている。また、通孔３６の外周角部は曲成されており、大径部２７へのスペーサ３４の圧入作業が円滑且つ容易に行えるようになっている。さらに、スペーサ３４を大径部２７に圧入すると、互いに隣接するリブ突起３９の間の当接部４０が筒状軸部材５の屋外側端面４１（図１参照）に当接することにより、コア部７に対するスペーサ３４の取付位置が位置決めされるようになっている。
【００２１】
　弾性体３５は、例えば、発泡ポリエチレン製であり、図３に示されているように、スペーサ３４より小径且つデッドカム４２の凹部４２ａの外径と同一又は大径の円形板に、スペーサ３４の通孔３６と同一の大きさ及び同一形状の通孔３７が形成された２枚の弾性板４３を重合して貼り合わせることにより構成されており、スペーサ３４に両面テープなどを介して貼付されるようになっている。
【００２２】
　このように、スペーサ３４には、大径部２７に圧入可能なように通孔３６が形成されていると共に、当接部４０が筒状軸部材５の屋外側端面４１に当接するように形成されているため、
隙間閉塞部材３３をコア部７の大径部２７に取り付けると、コア部７と筒状軸部材５との間の隙間はスペーサ３４により閉塞される
【００２３】
　また、弾性体３５には、デッドカム４２の凹部４２ａの外径と同一又は大径の円形板に、大径部２７に挿入可能な通孔４４が形成された弾性板４３が設けられているため、隙間閉塞部材３３をコア部７の大径部２７に取り付けると、デッドカム４２の凹部４２ａに挿入されるコア部７の端部とデッドカム４２との間の隙間は弾性体３５により填塞される。
【００２４】
　したがって、上記した本発明の実施の形態に係る錠前用サムターン１によれば、
コア部７と筒状軸部材５との間の隙間やコア部７の端部とデッドカム４２との間の隙間が隙間閉塞部材３３によって閉塞されるため、屋外の空気や雨水などが内部の隙間を介して屋内に侵入するのを確実に防止することができる
（４）刊行物４には、次の記載がある。
　ア　「＜技術分野＞
　本考案は、例えば船舶用又は金庫用として使用される水密錠装置に関する。
・・・
　＜目的＞
　本考案は、上記に鑑みて、
ハンドル軸部の防水も完全に行い得る水密錠装置
　イ　「＜実施例＞
　以下、本考案の一実施例を第１図ないし第４図に基づいて説明すると、これは、扉本体１に固定された軸受筒２と、該軸受筒２に回転自在に支承されたハンドル軸３と、扉取付壁に係合するために該ハンドル軸３に連動して扉本体１の側面１ａから出退自在に該扉本体に取付けられた係合子４とを具え、前記
軸受筒２の中央孔内周壁と前記ハンドル軸３との間に防水シール環５が介設されたものである
・・・そしてハンドル軸３の外端鍔部３ａと前記円筒部１２の外端間には板状のシールパツキン１６が介装され、また
円筒部１２の内壁に環状溝１７が形成され、該溝１７に前記シール環５がその内面を前記ハンドル軸３の外周面に密着するように嵌合されている。更に前記円筒部１２及び取付杆１４は、その外端にシール環１８，１９が外嵌されて錠本体２０に嵌合され、ビス２１で固定されている
　更に前記錠本体２０には、鍵錠２２が前記ハンドル軸３に並設され、該鍵錠２２は、前記錠本体に嵌合された支持筒２３と、該支持筒に回転自在に内嵌され先端が錠本体２０がら室内側へ突出する鍵孔２４付鍵筒２５とを具えて成る。そして前記
支持筒２３はシール環２６が外嵌されて前記錠本体２０と密着され、また鍵筒２５は、支持筒２３の内壁の環溝２７に嵌合されたシール環２８により、該支持筒２３と密着されている
・・・
　なお、
閉鎖時には錠本体１１と軸受筒２、軸受筒とハンドル軸３、取付杆１４と錠本体１１、錠本体１１と支持筒２３、及び支持筒２３と鍵筒２５は夫々シール環５，１９，２６，２８により水密構造とされているため、錠部分からの浸水の恐れはなく、扉本体１のシール材８と共に扉を完全な水密構造にできる
（５）刊行物５には、次の記載がある。
　ア　「【技術分野】
【０００１】
　本発明は、扉側リード線を介して電気錠に接続した扉側通電装置と、制御盤側リード線を介して扉枠に設けた枠側通電装置とを有する電気錠用の通電装置に関する。」
　イ　「【実施例】【００２５】
（実施例１）  
本発明の実施例１を図１から図１６に基づいて以下に説明する。
　図１は本発明に係る電気錠用の通電装置を取り付けた使用状態の一例を示した正面図、図２は扉の閉鎖時で通電状態を示した図１の要部縦断面図である。
　図１で、ａは扉枠ｂの開口を開放又は閉塞するスイング式の扉であって、この扉ａの一端側（吊り元側）は扉枠ｂの縦框ｂ２に丁番１で枢支されているとともに、該扉ａの他端側（自由端側）の戸先側には
電気錠２が取り付けられている
・・・
【００３３】
　次に、前記扉側通電装置２０は扉側リード線２１を介して電気錠２に接続されているので、電気錠２について以下に説明する。
　この電気錠２の錠ケース２ａ内には、前記扉側通電装置２０のほかに、第１制御装置５１と第２制御装置５５とからなる制御回路５０と、錠ケース２ａの両側壁間に回動自在に軸支されたハブ５のハブ孔５ａに嵌挿されている操作杆５ｂをシリンダーのキー操作やサムターン操作などの手動操作により回動して出没作動される錠杆３と、前記制御回路５０にリード線６を介して接続された可逆回転モータ７と、この可逆回転モータ７の駆動により傘歯車等の歯車列を回動して錠杆３を電気的に出没作動させる歯車伝達機構８と、通電制御用のマイクロスイッチ９と、扉の開閉確認用のリードスイッチ１６などを設けている。」
（６）刊行物６には、次の記載がある。
　「【発明を実施するための最良の形態】
【００１２】
　以下、本発明を室内ドアのハンドル取付座に適用した図示の実施形態について説明すると、図１乃至図１０において１は玄関および勝手口を除く室内の間仕切り用ドアで、該ドア１の一側端部に錠取付穴２が開口され、該錠取付穴２に錠前３が収容されている。
　前記錠前３の一端にラッチボルト４が出没可能に設けられ、その他側端側に角穴５が設けられ、該角穴５に室外側のレバ−ハンドル６にピン７ａを介して連結した角芯棒７が係合可能に挿入されている。
【００１３】
　図中、８は錠取付穴２の開口縁部に形成した縦長矩形の切欠溝で、該溝８に錠前３と一体の取付板９と、フロント板１０とが重合して収容され、これらがビス１１を介してドア１の側端部に取り付けられている。
　前記角穴５の両側に係合孔１２が形成され、該孔１２，１２と前記角穴５に対応するドア１の内部に貫通孔１３，１４が形成され、該貫通孔１３，１４がドア１の内外面に開口している。
【００１４】
　前記貫通孔１３，１４に前記角芯棒７と、真鍮等の金属製の連結パイプ１５が挿入され、このうち連結パイプ１５は貫通孔１３を介して係合孔１２に挿入され、その長さはドア１の厚さより若干長尺に形成されている。
　前記連結パイプ１５の管内全域に雌ネジ部１６が形成され、該雌ネジ部１６にドア１の内外からビス１７をねじ込み可能にされ、後述するハンドル取付座をドア１の内外に取り付け可能にしている。
【００１５】
　前記連結パイプ１５の一端に切欠溝１８が形成され、該スリット１８の両側に略円弧状断面の係止爪１９が対向して形成され、該係合爪１９，１９を後述するハンドル取付座の内面に形成した係合溝２０に係合可能に配置している。
【００１６】
　前記ハンドル取付座２１，２２は貫通孔１３，１４に臨むドア１の内外面に配置され、該ハンドル取付座２１，２２は合成樹脂または亜鉛若しくはアルミダイカスト合金によって略円板状に成形されている。
　前記内外のハンドル取付座２１，２２は実質的に同一に構成され、これを外側のハンドル取付座２１で説明すると、ハンドル取付座２１のドア１の表面と反対側の表面は額縁状に形成され、その凹状の平坦面２３の外周に凸部２４が環状に形成されている。
　この場合、ハンドル取付座２１，２２は円板状に限らず、楕円、小判形、矩形、正五〜八角形、その他の異形に形成することも可能である。
【００１７】
　前記平坦面２３の中央に、レバ−ハンドル６の軸部先端６ａを挿入可能な通孔２５が形成され、該通孔２５より外側の平坦面２３に一対の凹孔２６と矩形の凹部２７とが互いに直交して配置されている。
　このうち、凹孔２６に前記ビス１７の頭部１７ａが収容可能にされ、該凹孔２６の底部に前記ビス１７の螺軸を挿入可能な通孔２８が形成されている。
【００１８】
　また、前記凹部２７に両面接着テ−プ（図示略）または接着剤を介して、マグネットシ−ト２９が取り付けられ、該マグネットシ−ト２９の外面にカバ−である、磁性を有する金属製の化粧板３０が取り付けられている。
　実施形態では前記化粧板３０として、板厚０．８ｍｍの比較的肉厚のステンレス鋼板を使用し、該化粧板３０をマグネットシ−ト２９に重合して配置し、該化粧板３０の表面を前記凸部２４と同高位置または若干高位置若しくは低位置に位置付けている。」
（７）刊行物７には、次の記載がある。
　「【実用新案登録請求の範囲】
【請求項１】  箱形に形成され前面にフロントが設けられる錠ケースと、該錠ケースに回動可能に嵌着され外周面に駆動突起が設けられ、内部に設けられた角孔にドアハンドルが連結されるハブと、前壁及び後壁が屈曲形成され、上記錠ケースに設けられた起立壁と上記前壁との間に挿入される復帰用スプリングによりフロント方向に付勢され、上記後壁が上記駆動突起に当接するレトラクタと、上記フロントより出没可能なラッチヘッドの後端に軸部が形成され、上記前壁及び後壁を貫通する上記軸部の端部に鍔部が設けられるラッチボルトと、上記ヘッドの後端と上記前壁との間に挿入されるラッチスプリングとから成る錠装置において、
上記ハブにストッパ受け面を形成し、上記錠ケースに回動可能に嵌着されるカムの外周面に押動突起を設け、上記カムの内部に設けられる角孔に、室内側のサムターンに連結する角軸を挿入し、一端が上記押動突起に係合し上記カムの回動により他端が上記ストッパ受け面に係脱するストッパを設け、上記カムに係合し上記カムが施錠角度のときに上記ラッチボルトの後端に当接する位置に移動するプッシュプレートを設けたことを特徴とする錠装置。」
（８）刊行物８には、次の記載がある。
　「【特許請求の範囲】
【請求項１】
　錠ケースに進退可能に設けられるラッチボルトを突出させた状態で後退規制可能なストッパーと、
　上方位置または下方位置において、ソレノイドの作動に基づき回動することで前記ストッパーによるラッチボルトの後退規制の有無を変更するテコ板と、
　ソレノイドの非通電時において、ストッパーによりラッチボルトを後退規制するか否かを切り替えるために、前記テコ板を上方位置または下方位置に位置決めする切替機構と
　を備えることを特徴とする電気錠。
【請求項２】
　錠ケースに進退可能に設けられるラッチボルトと、
　錠ケースに枢支されてラッチボルトを後退不能に係止するよう付勢されるストッパーと、
　ソレノイドにより枢軸まわりに回動し、その枢軸が錠ケースに対し上下動可能に保持されたテコ板と、
　このテコ板と前記ストッパーとを連結する第一リンク材と、
　前記枢軸を上方位置または下方位置に位置決めする切替機構とを備え、
　前記切替機構により前記枢軸が上方位置に配置された状態では、ソレノイドの作動により前記テコ板が前記第一リンク材を介して前記ストッパーを付勢力に対抗して回動させてラッチボルトの後退を可能とする一方、
　前記切替機構により前記枢軸が下方位置に配置された状態では、前記テコ板が前記ストッパーを付勢力に対抗して回動させてラッチボルトの後退を可能とし、ソレノイドの作動により前記ストッパーが前記ラッチボルトの後退を規制する
　ことを特徴とする電気錠。」
（９）刊行物９には、次の記載がある。
　ア　「OBJECTS AND SUMMARY OF THE INVENTION
　It　is,　therefore,　an　object　of　this　invention　to　provide a　fire　shielded　doorlatch　knob　assembly　for　locksets　　having　particular　use　in　the　inner　　lockset　knob　assembly　for　fire　resistant　doors　of　structures・・・」（３欄１行〜７行）
（仮訳）「本発明の目的は、構造物の耐火ドアのための内側ロックセットノブ組立体に特に使用されるロックセット用防火ドアラッチノブ組立体を提供することである・・・」
　イ　「The  tubular  wall  64  of  the  fire  resistant  shield  54　is　axially　outwardly　closed　by　a　preferably　integral　end　wall　65,　of　course,　also　formed　of　fire　resistant　material.　In　the　particular　first　embodiment　shown,　with　the　turnbutton　shaft　50　included　in　this　inside　doorlatch　knob　assembly　18,　the　turnbutton shaft　extends axially　through　the　shield　end　wall　64　and　is　closely　surrounded　thereby　with　only　a　very　minimum　of　clearance　therebetween　to　permit　independent　rotation　of　the　turnbutton　shaft　relative　to　the　shield.」（５欄５９行〜末行）
（仮訳）「耐火シールド54の管状壁64は、好ましくは一体の端壁65によって軸方向外側に閉鎖されており、勿論耐火材料から形成されている。この内側ドアラッチノブアセンブリ18に含まれるターンボタンシャフト50と共に、ターンボタンシャフトは、シールド端壁64を通って軸方向に延び、その間に非常に最小限の隙間で密接に囲まれ、シールドに対して回転軸を回転させる。」
　ウ　「With the positioning of the  fire  resistant shield 54 within  the　inside　doorlatch　knob　assembly　18,　despite　melting　and　destruction of  the knob 34, flames are still  prevented  from  inward　penetration into the  fire  resistant  door　l2 so that the drive washer　42 will be  protected  retaining the  half round  spindle 48 to thereby　retain  the  doorlatch mechanism 16  function.」（７欄２３行〜３０行）
（仮訳）「ノブ34の溶融及び破壊にもかかわらず、内側ドアラッチノブ組立体18内の耐火シールド54の位置決めにより、火炎は耐火ドア12内への内向きの侵入を防止され、半円形の軸48を保持する駆動ワッシヤ42は、ドアラッチ機構16の機能を保護する。」
（１０）刊行物１０には、次の記載がある。
　「chacune  de  ces  moities  de  poignee  comportant,  a son　extremite,　en　forme　d'arbre,　tournee　vers　1'autre　moitie　de　poignee　un　ecusson　de　protection　interne　en　acier　et　un　ecusson　de　protection　externne　en　alliage　leger，lesquels　ecussons　viennent　porter　contre　la　surface　exterieure　de　la　porte　d ' une　facon　etanche　de  maniere　a　empecher　le passage　des　gaz　produits　par　un　incendie　eventuel,」（６頁１２行〜１８行）
（仮訳）「ハンドル半部の各々は、ハンドルの他の半分に向かってスチールの内部保護シールドと、表面に当接するエスカッションである軽合金の外部保護シールドとをシャフトの端部に有する端部を有している火災の可能性があるガスの通過を防止するために、鋼の内側エスカッション（１０）と軽合金の外側エスカッション（１１）とがスリーブ（１３）に具備される。」
（１１）刊行物１１には、次の記載がある。
　ア　「【0030】・・・Die Lagerscheibe　14　ist mit　dem Turblatt 3 fest　verbunden,  beispielsweise  mittels  einer  Verschraubung.  Dabei  ist　zur gasdichten Abdichtung  bevorzugt  zwischen  der Lagerscheibe  14　und der Bandseite 5 des Tiirblatts 5 eine weitere　Dichteinrichtung vorgesehen.」
（仮訳）「支持板14は、例えばねじによってドアパネル3に固定的に接続されている。この場合、支持板14とドアパネル3のヒンジ側5との間を気密に密封するために、別の密封装置を設けることが好ましい。」
　イ　「３．Verschlusseinrichtung  nach  Anspruch l oder 2, dadurch　gekennzeichnet，dass  zwischen den  Betatigungseinrichtungen（21,34）eine die Steckachse（13）umgebende  gasdichte　Dichtungseinrichtung （99）vorgesehen  sind.」
（仮訳）「作動装置（21,34）の間に前記貫通軸（13）を取り囲む気密シール装置（99）が設けられていることを特徴とする請求項１または２に記載の閉鎖装置。」
（１２）刊行物１２には、次の記載があり、以下の発明（以下「刊１２発明」という。）が記載されていると認められる。
　ア　「【０００１】
【発明の属する技術分野】本発明は、
扉などの開閉体の錠構造に関するものである
  イ　「【００１１】本発明の開閉体の錠構造が配設される開閉体１は、本実施の形態では、
基端縁が蝶番にて建物躯体に連結された玄関などのドアであり、このドア１の先端縁である揺動端縁１ａに、この錠構造２が配設される
【００１２】
この錠構造２は、錠箱３と、操作部材４と、スペーサ５と、台座６と、カバー９とで構成されている
【００１３】錠箱３は、略方形箱状に形成され、ドア１の端縁１ａにおける端面である木口より一側のフロント板のみが表出してドア１の揺動端縁１ａに埋め込まれるように設けられている。
この錠箱３内には、図示しない施解錠機構が内蔵されており、この機構に連動連結されたラッチボルトとデッドボルト（図示せず）とが前記フロント板に穿設されている通孔より進退自在となるように配設されている
【００１４】また、この錠箱３内の機構を介してラッチボルト及びデッドボルトと後述する操作部材４とを連結するための上下一対の取付穴３ａ，３ｂが錠箱３の表裏面に貫通して形成されている。そして、これら取付穴３ａ，３ｂに対応する貫通孔１ｂ，１ｃがドア１の表裏両面１ｏ，１ｉにそれぞれ穿設され、これら貫通孔１ｂ，１ｃより各取付穴３ａ，３ｂがドア１の表裏面１ｏ，１ｉに表出するようになっている。
【００１５】次に、
操作部材４は、シリンダー４Ａと、サムターン４Ｂと、ノブ４Ｃとで構成されている。シリンダー４Ａは、一方の貫通孔１ｂ及び取付穴３ａを介してデッドボルトに連動連結されるとともに、ドア１における屋外側の面１ｏに突出するように配設され、また、サムターン４Ｂは、この一方の取付穴３ａの屋内側より取り付けられ、ドア１における屋内側の面１ｉに突出するように配設されており、すなわちこの一方の取付穴３ａの表裏面側にシリンダー４Ａとサムターン４Ｂが略一体となるように接続され、デッドボルトの進退操作を、屋外側からはキーを用いてシリンダー４Ａの回動にて行い、また屋内側からはサムターン４Ｂの回動操作によって行うようになっている
【００１６】また、
ノブ４Ｃは、屋内側と屋外側の一対で構成され、各基端が他方の取付穴３ｂを介してラッチボルトに連動連結されているとともに、ドアにおける表裏両面１ｏ，１ｉより突出するように配設され、回動操作によってラッチボルトの進退操作を行えるようになっている
【００１７】次に
スペーサ５は、天然ゴムや、耐寒性の良好なブタジエンゴム，クロロプレンゴム，シリコンゴムなどの合成ゴムを素材とする略短冊錠の矩形板状部材で、ドア１の表裏面１ｏ，１ｉにおける前記錠箱３に対応した位置の、ドア１の板面に穿設されている各貫通孔１ｂ，１ｃに対応する穴５ａが穿設され、このドア１の貫通孔５ａの周囲に位置するように、ドア１の表裏両板面１ｏ，１ｉに配設される
【００１８】なお、
このスペーサ５に穿設される穴５ａの内径は、前記各操作部材４の貫通孔１ｂ，１ｃに位置する軸部外径に略等しくなるよう設定されて形成され、貫通孔１ｂ，１ｃと軸部外径との隙間が閉塞されるようになっている
【００１９】次に、台座６は、亜鉛ダイカストなどの金属よりなり、上下両端縁にＺ字状に折曲形成されたベース片７が延設されている矩形な略短冊状に形成され、一対で構成されている。
【００２０】また、この台座６には、支持孔６ａが穿設されており、前述した各操作部材４の軸部等が貫通するようになっている。そして、この台座６は、ドア１の表裏面１ｏ，１ｉに、前記スペーサ５を介し、このスペーサ５をドア１の板面とで挟持するようにネジ８などの固定手段にて固定されるとともに、各操作部材４を支持するようになっている。なお、この台座６の縦横の長さは、スペーサ５と同等に形成される。
【００２１】次にカバー９は、耐候性が良好な樹脂、例えばＡＢＳ樹脂，アセタール樹脂、ポリカーボネイト樹脂，ウレタン発泡樹脂やポリプロピレン，ポリブチレンテレフタレート，ポリエチレンテレフタレートなどよりなり、一側が開口した略方形箱状に形成されているとともに、前記台座６の支持孔６ａに対応する挿通孔９ａが穿設されている。
【００２２】そして、このカバー９は、内側面９ｂが台座６に密着し、この台座６及びスペーサ５を被覆するようにドア１の表裏面１ｏ，１ｉに取り付けられる。なお、このカバー９には、ノブ４Ｃやサムターン４Ｂなどの操作部材４に接触することがなく、これらによる負荷が加わらず、また、このカバー９のドア１への取付手段としては、台座６にネジなどを用いて固定してもよく、また、台座６に対して鉤状爪にて着脱が容易となるように取り付けるよう構成してもよい。
【００２３】従ってこのように構成された錠構造２によれば、ドア１の表裏両面１ｏ，１ｉに突出するノブ４Ｃやシリンダー４Ａ，サムターン４Ｂの周囲を樹脂製のカバー９にて構成したので、寒冷地におけるドア１を隔てた屋外Ｏと屋内Ｉとの気温差にて、ドア１の屋内Ｉ側が結露を生じても、屋外Ｏ側から錠箱３を介して伝わる低い気温の冷気によって、その水滴が氷結してしまうことがなく、すなわちサムターン４Ｂが固着してその動作不良を起こすことなく、確実な施解錠動作を行える。
【００２４】特に、この錠構造２では、
ドア１の板面１ｏ，１ｉと台座６との間にゴム製のスペーサ５が介設されているので、屋外Ｏからの冷気が隙間より吹き込むことがなく、また台座６自体に屋外Ｏ側からの冷気が伝わらず、結露が生じにくく、氷結が起こらない
ウ　上記ア、イの記載を踏まえると以下の刊１２発明が記載されていると認められる。 
刊１２発明
「扉などの開閉体の錠構造に関するものであり、
　基端縁が蝶番にて建物躯体に連結された玄関などのドアであり、このドア１の先端縁である揺動端縁１ａに、この錠構造２が配設され、
　この錠構造２は、錠箱３と、操作部材４と、スペーサ５と、台座６と、カバー９とで構成されており、
　錠箱３内には、施解錠機構が内蔵されており、この機構に連動連結されたラッチボルトとデッドボルトとがフロント板に穿設されている通孔より進退自在となるように配設されており、
　操作部材４は、シリンダー４Ａと、サムターン４Ｂと、ノブ４Ｃとで構成されており、シリンダー４Ａは、一方の貫通孔１ｂ及び取付穴３ａを介してデッドボルトに連動連結されるとともに、ドア１における屋外側の面１ｏに突出するように配設され、また、サムターン４Ｂは、この一方の取付穴３ａの屋内側より取り付けられ、ドア１における屋内側の面１ｉに突出するように配設されており、すなわちこの一方の取付穴３ａの表裏面側にシリンダー４Ａとサムターン４Ｂが略一体となるように接続され、デッドボルトの進退操作を、屋外側からはキーを用いてシリンダー４Ａの回動にて行い、また屋内側からはサムターン４Ｂの回動操作によって行うようになっており、
　ノブ４Ｃは、屋内側と屋外側の一対で構成され、各基端が他方の取付穴３ｂを介してラッチボルトに連動連結されているとともに、ドアにおける表裏両面１ｏ，１ｉより突出するように配設され、回動操作によってラッチボルトの進退操作を行えるようになっており、
　スペーサ５は、天然ゴムや、耐寒性の良好なブタジエンゴム，クロロプレンゴム，シリコンゴムなどの合成ゴムを素材とする略短冊錠の矩形板状部材で、ドア１の表裏面１ｏ，１ｉにおける前記錠箱３に対応した位置の、ドア１の板面に穿設されている各貫通孔１ｂ，１ｃに対応する穴５ａが穿設され、このドア１の貫通孔５ａの周囲に位置するように、ドア１の表裏両板面１ｏ，１ｉに配設され、
　このスペーサ５に穿設される穴５ａの内径は、前記各操作部材４の貫通孔１ｂ，１ｃに位置する軸部外径に略等しくなるよう設定されて形成され、貫通孔１ｂ，１ｃと軸部外径との隙間が閉塞されるようになっており、
　ドア１の板面１ｏ，１ｉと台座６との間にゴム製のスペーサ５が介設されているので、屋外Ｏからの冷気が隙間より吹き込むことがなく、また台座６自体に屋外Ｏ側からの冷気が伝わらず、結露が生じにくく、氷結が起こらない、
　錠構造。」
（１３）刊行物１３には、次の記載がある。
「【０００８】
　【実施例】
　以下、本考案の実施例を図面に基づき説明する。
　図面において、１は倉庫等の室、２は側壁、３は緊急時出入用の開口部、４は開口部３に嵌着された扉取付枠、５は扉であり、６は扉締付装置である。そして、前記扉５は、扉取付枠４の室外側垂直面４Ａに、垂直軸７を有するヒンジ８により片開状にかつ開閉可能に取付けられており、前記扉５の扉取付枠４との対向面５Ａには、扉全周にわたってシール部材９（例えばシールゴム）が固着され、前記枠外側面４Ａにはシール部材９に対応して帯板状のシールゴム又は戸当り板１０が固着されている。
【０００９】
　前記扉５の左右幅方向中央部には、上下に位置して軸挿通孔１１が水平にかつ扉５を貫通して設けられており、該孔１１を利用して前記扉締付装置６が夫々取付けられている。なお、上下の扉締付装置６は、共に同一形状・寸法で、しかも、開閉操作も全く同じである。
【００１０】
　前記扉締付装置６は、前記軸挿通孔１１に挿通され、かつ両端が室内・外に突出状に気密構造の内・外軸受１２，１３を介して取付けられた締付操作軸１４と、該軸１４の両端に固着された内・外の回動操作ハンドル１５，１６と、前記操作軸１４の雄ねじ部１７に螺合された締付アーム１８とから成っている。
【００１１】
　前記内側軸受１２は、前記扉５の内側面５Ａ（対向面）に気密状に取付けられた筒状台座１９のフランジ１９Ａに気密状に固着されており、軸受１２の内端が前記扉取付枠４の室内側垂直面４Ｂよりも扉５側に位置せられ、該軸受１２の内端よりも内方に位置して前記操作軸１４に前記雄ねじ部１７が設けられている。
【００１２】
　前記外側軸受１３は、図４に示すように、
扉５の外側面５Ｂに気密状に取付けられた軸受箱２０と、該軸受箱２０内に嵌装され、かつ前記操作軸１４に設けたフランジ部２１の軸方向両側に位置せられたスラストベアリング２２，２３とからなり、前記軸受箱２０内には、グリースを封入すると共にパッキン２４を嵌装して気密状態が確保されており
（１４）刊行物１４には、次の記載がある。
　ア　「この考案は、屋内外に設置されるプレハブ式冷蔵庫の扉体の安全装置に関するもので、気密性及び断熱性を向上させるとともに冷蔵庫内に入つた者が庫内に閉じ込められた状態におかれても、庫内から安全に扉体を開放して脱出できるようにしたことを特徴とするものである。」（２頁３行〜９行）
　イ　「前記安全装置６は、前記扉体４におけるラツチ錠５の開閉操作部すなわちレバー５ａ側の直下部に穿設された貫通口７内に、レバー５ａと係合してラツチ錠５をラツチ受５ｂから解錠し得る操作棒８を貫通させるとともに、貫通口７の庫内側および庫外側には、操作棒８とのすき間を気水密に保持するシール部材９，９を取り付け、かつ、貫通口７内における操作棒８の一部に、前記シール部材９に当接する操作棒脱落防止用突片であるピン１０を直交状に突設して成る構造となっている。」（４頁１７行〜５頁７行まで）
　ウ　「第５図はこの考案の第二実施例を示すもので、シール部材９の別の取付態様を示す場合である。すなわち、前記貫通口７を形成する筒体１１の両端面にそれぞれ底部が膨隆する環状凹溝１２，１２を形成しておき、この環状凹溝１２内に、シール部材９のフランジ部９ａから突出する環状係合部９ｄをスナツプ嵌合させた場合である。」（６頁２行〜９行）
（１５）刊行物１５には、次の記載がある。
　ア　「〔産業上の利用分野〕
　本考案は、半導体製造工場などのクリーンルームの外壁扉に関する。」（１頁下から７行〜５行）
　イ　「また、扉１の開閉用ハンドル５の回動軸５ａの外周にも第３図に示すように薄板ゴムを積層させた円板状のゴムパッキン９を配設するが、このパッキン９は扉１の面板の外側に位置し、ハンドル５を扉１に取り付けるための皿状固定金具５ｂ内に収容する。
　このようにして、ハンドル５はその軸部をゴムパッキン９でシールされ、・・・
　〔考案の効果〕
　以上述べたように、本考案のクリーンルームの外壁扉は、扉と扉枠との係合のみならず扉自体に存する開口部として、締付ボルトやハンドル周囲をシールするようにしたので、従来よりもエアタイト性を向上させ、目に見えないほこりの侵入をほぼ完全に遮断できるものである。」（５頁１行〜１９行）
（１６）刊行物１６には、次の記載がある。
　ア　「「産業上の利用分野」
　本考案は、密閉扉を左開きと右開きの両用に使用可能とするハンドル装置に関するものである。」（２頁２行〜４行）
　イ 「また、図中Ａは、密閉扉１１を係止するためのハンドル装置を示している。このハンドル装置Ａは、扉枠１２に対する密閉扉１１のヒンジ結合側であつて、密閉扉１１の端部の上下所定位置に各々設けられている。ハンドル装置Ａは、密閉扉１１をその厚さ方向に貫通して設けられたハンドル軸２０と、このハンドル軸２０を通し、密閉扉１１の内部に設けられた補強用の筒体２１と、密閉扉１１の前面側のハンドル軸２０の一端にリングパツキン２２と座金２３とを介して取り付けられた主ハンドル体２４と、密閉扉１１の背面側のハンドル軸２０の他端にリングパツキン２５を介して取り付けられた副ハンドル体２６とからなつている。」（８頁下から３行〜９頁１１行）
（１７）刊行物１７には、次の記載がある。
　ア　「この考案は自動車におけるキーシリンダ取付部の排水構造に関するものである。」（１頁１２行〜１３行）
　イ　「ホルダ３はプラスチツク材あるいはアルミダイキヤストにより成形されていて、その円筒部３ａの内部にキーシリンダ１を嵌め込んで抜け止めのキー４を施し、円筒部３ａの外周部をパネル２の取付孔２ａに挿入する。そしてホルダ３の外殻部３ｂとパネル２との間にシール材５を挟むとともに、パネル２の内部においてパネル２とホルダ３の円筒部３ａとの間に取付用のクリツプ（図示しない）を嵌挿すれば、外殻部３ｂがシール材５を介してパネル２に圧接するとともに、ホルダ３がパネル２に固定される。」（２頁２行〜１２行）
（１８）刊行物１８には、次の記載がある。
　「【０００２】
【従来の技術】一般にねじは製品を組み立てたり、部品を取り付けたりするのに、その組立部品としてあらゆる製品に使用されている。ところが最近では、製品に組み込まれている部品が精密であったり、水分を嫌う精度の高い電子部品であったりして、これらを内蔵するケースの組立には種々の工夫がなされている。その一例として、携帯電話、コンピュータ機器等では電子機器を内蔵する樹脂製のケースの組立において、ねじ込み箇所にその都度、シール剤を塗布してねじの頭部とカバーとをを密着させたり、図７及び図８に示すようなＯリング１０４をねじ１０１の首部１２０に嵌め込み、これをケース本体１３０に固定されるカバー１３２の貫通穴１３３に挿入してねじ込むことで、このＯリング１０４が貫通穴１３３の上部に形成されている座ぐり穴１３４とねじ１０１の頭部１０２の座面との間で撓み変形してカバー１３２とねじ１０１とに密着して隙間を無くして湿気及び雨水等の水分が内部に浸入しないようにしているのが現状である。」
（１９）刊行物１９には、次の記載がある。
　ア　「【技術分野】
【０００１】
　本考案は、ドアのレバーハンドル、特に湿気の多い浴室等のドアに用いるレバーハンドルに関するものである。」
　イ　「【００１６】
　また、ハンドル本体１の基部３とハンドル軸端部５の結合部分６には、ハンドル本体１に開口する頂部が皿状になったねじ孔で構成された皿ねじ孔７が、その基部３と端部５の両部に亘って形成されている。皿ねじ孔７は、本実施形態では例えば上部が６ｍｍφの皿孔で、ねじ孔径が４ｍｍφ程度になっているが之に限るものでなく、ハンドル本体１の形状や大きさなどにより適宜選択される。
【００１７】
　一方、皿ねじ孔７に螺入される固定ねじは、頭部が丸皿になった丸皿固定ねじ８で構成されている。丸皿固定ねじ８には、逆円錐台状の防水パッキン９が圧入されて一体になっている。従って、ねじの締付の際に、丸皿固定ねじ８にいちいち防水パッキン９を装着する必要がなく、締付操作が簡単になる。
　丸皿固定ねじ８は、例えば丸皿頭部の外径が８．５ｍｍφで、ねじ径が４ｍｍφになっている。防水パッキン９は、例えばポリアミド係樹脂やシリコン樹脂のような耐熱性と熱膨張性を有する素材により前記皿ねじ孔７に合わせた形状、例えば外径が６ｍｍφで、内径が４ｍｍφ以下に形成される。
【００１８】
　そして、本実施形態では丸皿固定ねじ８に前記防水パッキン９を差し込んで丸皿固定ねじ８の頭部裏面に配置させて一体になった丸皿固定ねじ８を、皿ねじ孔７に螺入することによって、ハンドル本体１とハンドル軸とを固定する。  
【００１９】
　
丸皿固定ねじ８の締付によりハンドル本体１を固定すると、防水パッキン９が皿ねじ孔７の皿部に密着し、皿ねじ孔７上部を確実に封鎖する。即ち、丸皿固定ねじ８によって弾力性のある防水パッキン９の逆円錐形部が皿ねじ孔７の皿部に入り込みを確実に密封できる。つまり、丸皿固定ねじ８の丸皿頭部と防水パッキン９が、蓋として機能して皿ねじ孔７を封鎖するので、例えば浴室のドア用のように湿気が比較的多い箇所や水が掛かるような箇所において使用されるドア用に利用してもレバーハンドルの結合部分から錆や腐食が解消される
【００２０】
　また、ねじ孔を皿ねじ孔７にすると、丸皿固定ねじ８が皿部に案内されて垂直に装入される。つまり、丸皿固定ねじ８が皿部分によって垂直に呼び込まれ、またドライバ用溝が比較的大きいことから、ドライバが確実に装着されて外れ難くなり、傷を付けなくなる。
【００２１】
　上述の実施形態では、防水パッキンが丸皿固定ねじと一体になっているが、独立させて螺入の際に、丸皿固定ねじに取付けるようにしてもよい。この防水パッキンは、前記に例示した素材以外のものでもよく弾力性のあるその他の合成樹脂製やゴムなどのパッキンを用いることができる。」
４　取消理由通知に記載した取消理由（第２９条第１項第３号、第２９条第２項）について
（１）刊行物１を主引例として 
　ア　本件発明１について
　（ア）対比
　ａ　刊１発明の「扉３」、「錠ケース５」、「デッドボルト２１」、「サムターン装置６５」、「サムターン軸６７」、「サムターン胴６６」は、それぞれ本件発明１の「扉」、「錠ケース」、「デッドボルト」、「サムターン装置」、「サムターン軸」、「胴部材」に相当する。
　ｂ　刊１発明の「住宅の玄関扉」は建物の外部出入口の扉であるから、本件発明１の「建物の外部出入口に使用される」「扉」に相当する。
　ｃ　刊１発明の「サムターン装置６５はラッチは操作することなくデッドボルトを操作しており」は、本件発明１の「ラツチは操作することなく前記デッドボルトを操作する」に相当する。
　ｄ　刊１発明の「扉３の室外面に設けられ、キーの回転操作によりデッドボルト２１を進退させるシリンダー装置４１と、扉３の室内面に設けられ、ツマミ７９の回転操作によりデッドボルト２１を進退させるサムターン装置６５」は、本件発明１の「室外側から取り付けられて前記デッドボルトを操作するシリンダーと共に、室内側から扉面に取り付けられてラッチは操作することなく前記デッドボルトを操作するサムターン装置」に相当する。
　ｅ　上記ａ〜ｄから、本件発明１と刊１発明は、以下の点で一致し、相違点１〜４で相違する。 
  
（一致点）
「建物の外部出入口に使用される扉に埋設されてデッドボルトが進退可能に設けられてなる錠ケースに対して、室外側から取り付けられて前記デッドボルトを操作するシリンダーと共に、室内側から扉面に取り付けられてラッチは操作することなく前記デッドボルトを操作するサムターン装置であって、
　回転動作により前記デッドボルトを進退させる、サムターン軸と、
　このサムターン軸を回転可能に保持する胴部材とを備える、
　サムターン装置。」
（相違点１）
　建物について、本件発明１が「水害や津波によって水没しうる」建物であるのに対し、刊１発明はそのような特定がなされていない点。
（相違点２）
　扉について、本件発明１が「中空の外開き」扉であるのに対し、刊１発明はそのような特定がなされていない点。
（相違点３）
　サムターン軸について、本件発明１が「デッドボルトの後退規制を解除する」のに対し、刊１発明はそのような特定がなされていない点。
（相違点４）
　本件発明１が「サムターン軸と前記胴部材との間であって、軸方向中途部に周方向に沿って環状に形成されてなる取付溝に装着された〇リングからなる第一シール材が設けられている」のに対し、刊１発明はそのような特定がなされていない点。
　（イ）判断
　まず、相違点４について検討する。
　刊行物２〜４、９〜１９には、建材の部材間にシール材を設けることが記載されており、特に刊行物３においては、摘み部６に連動するコア部７の大径部２７の周囲に隙間閉塞部材３３を設けることが記載され（上記３（３）参照）、また、刊行物４においては、鍵筒２５は、支持筒２３の内壁の環溝２７に嵌合されたシール環２８により、該支持筒２３と密着されることが記載されている（上記３（４）参照）。
　しかしながら、刊行物３、４の部品構成は、刊１発明のサムターン軸６７、サムターン胴６６の構成と同じ位置関係や状態ではないことから、刊行物３に記載された隙間閉塞部材３３や刊行物４に記載されたシール環２８を選択的に採用し、刊１発明のどの部分にどのように適用するかは当業者にとって多くの選択肢が存在するものである。加えて、刊行物３、４において刊１発明のサムターン軸６７とサムターン胴６６の間にシール材を設けることが示唆されているわけでもないことから、刊行物３、４の記載を参酌しても刊１発明のサムターン軸６７とサムターン胴６６の間にシール材を設けるようにすることが当業者が容易に想到しうる程度のこととはいえない。また、建材の部材間にシール材を設けることが刊行物２〜４、９〜１９から周知技術であるとしても、刊１発明のサムターン軸６７とサムターン胴６６の間にシール材を設けることが示唆されているとはいえず、刊１発明のサムターン軸６７とサムターン胴６６の間にシール材を設けるようにすることが当業者が容易に想到しうる程度のこととはいえない。
　さらに、刊行物５〜８にも相違点４に係る本件発明１の構成は記載されていない。
　したがって、刊１発明において、相違点４に係る本件発明１の構成にすることは、当業者が容易に想到しうる程度のこととはいえない。
　（ウ）小活 
　よって、他の相違点について検討するまでもなく、本件発明１は、刊１発明、刊行物２〜刊行物１９に記載された事項に基いて、当業者が容易に発明をすることができたものではないから、その特許は特許法第２９条第２項の規定に違反してされたものではない。
　イ　本件発明２〜６について
　本件発明２〜６は、本件発明１に従属し、本件発明１の発明特定事項をすべて含むものであるから、本件発明１と同様の理由（上記ア参照）により、刊１発明、刊行物２〜刊行物１９に記載された事項に基いて、当業者が容易に発明をすることができたものではないから、その特許は特許法第２９条第２項の規定に違反してされたものではない。
（２）刊行物２を主引例として 
　ア　本件発明１について
　（ア）対比
　ａ　刊２発明の「扉Ｄ」、「錠箱１」、「シリンダ５」、「デツドボルト」は、それぞれ本件発明１の「扉」、「錠ケース」、「シリンダー」、「デッドボルト」に相当する。
　ｂ　刊２発明の「扉Ｄ」は建物における出入り口に使用されるものであることは明らかであるから、本件発明１の「建物の外部出入口に使用される中空の外開き扉」と、「建物の」「出入口に使用される」「扉」の点で共通する。
　ｃ　刊２発明は「ノブ２，３やシリンダ５などの回動に関連して、ラツチ１１およびデツドボルトを出し入れ操作する機構が設けられており」「連結筒１４には、シリンダ５およびクラツチ６が嵌合しており、このクラツチ６の内端部にシリンダ５と同軸に取付けられたキーバー４は、錠箱１のデツドボルト操作部材を貫通して、内側ノブ３のサムターン７に接続されて」いることから、本件発明１の「室外側から取り付けられて前記デッドボルトを操作するシリンダーと共に、室内側から扉面に取り付けられてラッチは操作することなく前記デッドボルトを操作するサムターン装置」と、「室外側から取り付けられて前記デッドボルトを操作するシリンダーと共に、室内側から扉面に取り付けられて」「前記デッドボルトを操作するサムターン装置」の点で共通する。
　ｄ　上記ｃから見て、刊２発明の「キーバー４」は「デツドボルトを出し入れ操作する」部材であるから、本件発明１の「回転動作により前記デッドボルトを進退させる」「サムターン軸」に相当する。
　ｅ　上記ａ〜ｄから、本件発明１と刊２発明は、以下の点で一致し、相違点Ａ〜Ｅで相違する。 
  
（一致点）
「建物の出入口に使用される扉に埋設されてデッドボルトが進退可能に設けられてなる錠ケースに対して、室外側から取り付けられて前記デッドボルトを操作するシリンダーと共に、室内側から扉面に取り付けられて前記デッドボルトを操作するサムターン装置であって、
　回転動作により前記デッドボルトを進退させるサムターン軸を有する、
　サムターン装置。」
（相違点Ａ）
　建物について、本件発明１が「水害や津波によって水没しうる」建物であるのに対し、刊２発明はそのような特定がなされていない点。
（相違点Ｂ）
　扉について、本件発明１が「外部」出入口に使用される「中空の外開き」扉であるのに対し、刊２発明はそのような特定がなされていない点。
（相違点Ｃ）
　サムターン装置について、本件発明１が「ラッチは操作することなく」デッドボルトを操作するサムターン装置であるのに対し、刊２発明はそのような特定がなされていない点。
（相違点Ｄ）
　サムターン軸について、本件発明１が「デッドボルトの後退規制を解除する」のに対し、刊２発明はそのような特定がなされていない点。
（相違点Ｅ）
　本件発明１が「このサムターン軸を回転可能に保持する胴部材とを備え、前記サムターン軸と前記胴部材との間であって、軸方向中途部に周方向に沿って環状に形成されてなる取付溝に装着された〇リングからなる第一シール材が設けられている」のに対し、刊２発明は「錠箱１とノブ座１２との間におけるキーバー４の外側には保護カバー１６が配置されて」いる点。
　（イ）判断
　まず、相違点Ｅについて検討する。
　刊２発明においては、「キーバー４の外側には保護カバー１６が配置されて」いるものの、刊２発明において、本件発明１の「サムターン軸を回転可能に保持する胴部材」に相当する部材がどの部材であるのか特定できず、仮に刊２発明の「連結筒１４」や「ラツチバー１５」のいずれかの部材が、本件発明１の「胴部材」に相当するとしても、「連結筒１４」や「ラツチバー１５」と「キーバー４」との間にシール材を設けることは、刊行物２には記載されておらず、また、そのようなことを示唆する記載もない。
　したがって、相違点Ｅは実質的な相違点であるから、本件発明１と刊２発明は同一ではない。
　また、刊行物３、４、９〜１９には、建材の部材間にシール材を設けることが記載されているが、当該記載事項を参酌しても、刊２発明において、「胴部材」に相当する部材が特定できないこと、あるいは「連結筒１４」や「ラツチバー１５」と「キーバー４」との間にシール材をあえて設ける動機付けはないことから、相違点Ｅに係る本件発明１の構成とすることは当業者が容易に想到しうる程度のこととはいえない。さらに、刊行物１、５〜８にも相違点Ｅに係る本件発明１の構成は記載されていない。
　そして、申立人Ａは、「本件発明１のサムターン軸５１に相当するキーバー４と、本件発明１の胴部材５３に相当するノブ座１２との間に、本件発明１の第一シール材６９に相当する筒状の保護カバー１６が、前記キーバー４に外嵌合した状態で組み込まれていることが容易に読み取ることができる。」（申立人Ａの申立書９頁下から７行〜２行）旨主張している。しかしながら、刊行物２の第２図から見ても、「ノブ座１２」と「キーバー４」との間には「連結筒１４」や「ラツチバー１５」が存在していることが看て取れることから、「ノブ座１２」は「キーバー４」を「回転可能に保持する」部材であるとはいえず、「ノブ座１２」が、本件発明１の「胴部材」に相当しているとはいえない。
　（ウ）小活 
　よって、他の相違点について検討するまでもなく、本件発明１は、刊２発明ではないから、特許法第２９条第１項第３号に該当しない。
　また、本件発明１は、刊２発明、及び刊行物１、刊行物３〜刊行物１９に記載された事項に基いて、当業者が容易に発明をすることができたものではないから、その特許は特許法第２９条第２項の規定に違反してされたものではない。
　イ　本件発明２〜６について
　本件発明２〜６は、本件発明１に従属し、本件発明１の発明特定事項をすべて含むものである。
　したがって、本件発明１と同様の理由（上記ア参照）により、本件発明２、３は、刊２発明ではなく、特許法第２９条第１項第３号に該当しない。
　また、同様に、本件発明２〜６は、刊２発明、及び刊行物１、刊行物３〜刊行物１９に記載された事項に基いて、当業者が容易に発明をすることができたものではないから、その特許は特許法第２９条第２項の規定に違反してされたものではない。
（３）刊行物１２を主引例として 
　ア　本件発明１について
　（ア）対比
　ａ　刊１２発明の「ドア１」、「デッドボルト」、「錠箱３」は、それぞれ本件発明１の「扉」、「デッドボルト」、「錠ケース」に相当する。
　ｂ　刊１２発明の「建物躯体に連結された玄関などのドア」は建物の外部出入口の扉であるから、本件発明１の「建物の外部出入口に使用される」「扉」に相当する。
　ｃ　刊１２発明の「シリンダー４Ａは、一方の貫通孔１ｂ及び取付穴３ａを介してデッドボルトに連動連結されるとともに、ドア１における屋外側の面１ｏに突出するように配設され、また、サムターン４Ｂは、この一方の取付穴３ａの屋内側より取り付けられ、ドア１における屋内側の面１ｉに突出するように配設されており、すなわちこの一方の取付穴３ａの表裏面側にシリンダー４Ａとサムターン４Ｂが略一体となるように接続され、デッドボルトの進退操作を、屋外側からはキーを用いてシリンダー４Ａの回動にて行い、また屋内側からはサムターン４Ｂの回動操作によって行うようになって」いることは、本件発明１の「室外側から取り付けられて前記デッドボルトを操作するシリンダーと共に、室内側から扉面に取り付けられてラッチは操作することなく前記デッドボルトを操作するサムターン装置」に相当する。
　ｄ　刊１２発明の「サムターン４Ｂは、この一方の取付穴３ａの屋内側より取り付けられ、ドア１における屋内側の面１ｉに突出するように配設されており」、「デッドボルトの進退操作を」「サムターン４Ｂの回動操作によって行うようになって」いることから、サムターン４Ｂは軸部を有していることは明らかであり、当該軸部は、本件発明１の「回転動作により前記デッドボルトを進退させる」「サムターン軸」に相当する。
　ｅ　上記ａ〜ｄから、本件発明１と刊１２発明は、以下の点で一致し、相違点ア〜エで相違する。
（一致点）
「建物の外部出入口に使用される扉に埋設されてデッドボルトが進退可能に設けられてなる錠ケースに対して、室外側から取り付けられて前記デッドボルトを操作するシリンダーと共に、室内側から扉面に取り付けられてラッチは操作することなく前記デッドボルトを操作するサムターン装置であって、
　回転動作により前記デッドボルトを進退させるサムターン軸を有する、
サムターン装置。」
（相違点ア）
　建物について、本件発明１が「水害や津波によって水没しうる」建物であるのに対し、刊１２発明はそのような特定がなされていない点。
（相違点イ）
　扉について、本件発明１が「中空の外開き」扉であるのに対し、刊１２発明はそのような特定がなされていない点。
（相違点ウ）
　サムターン軸について、本件発明１が「デッドボルトの後退規制を解除する」のに対し、刊１２発明はそのような特定がなされていない点。
（相違点エ）
　本件発明１が「このサムターン軸を回転可能に保持する胴部材とを備え、前記サムターン軸と前記胴部材との間であって、軸方向中途部に周方向に沿って環状に形成されてなる取付溝に装着された〇リングからなる第一シール材が設けられている」のに対し、刊１２発明は「スペーサ５は、天然ゴムや、耐寒性の良好なブタジエンゴム，クロロプレンゴム，シリコンゴムなどの合成ゴムを素材とする略短冊錠の矩形板状部材で、ドア１の表裏面１ｏ，１ｉにおける前記錠箱３に対応した位置の、ドア１の板面に穿設されている各貫通孔１ｂ，１ｃに対応する穴５ａが穿設され、このドア１の貫通孔５ａの周囲に位置するように、ドア１の表裏両板面１ｏ，１ｉに配設され」ている点。
　（イ）判断
　まず、相違点エについて検討する。
　刊１２発明においては、「スペーサ５」が「ドア１の表裏両板面１ｏ，１ｉに配設され」ているものの、刊１２発明において、本件発明１の「サムターン軸を回転可能に保持する胴部材」に相当する部材がどの部材であるのか特定できず、仮に申立人Ｂが申立書で主張するように（申立書１９頁下から６行〜末行）、刊１２発明の「台座６」が、本件発明１の「胴部材」に相当するとしても、「台座６」と「サムターン４Ｂ」との間にシール材を設けることは、刊行物１２には記載されておらず、また、そのようなことを示唆する記載もない。
　また、刊行物２〜４、９〜１１、１３〜１９には、建材の部材間にシール材を設けることが記載されているが、当該記載事項を参酌しても、刊１２発明において、「台座６」と「サムターン４Ｂ」との間にあえてシール材を設ける動機付けはなく、相違点エに係る本件発明１の構成とすることは当業者が容易に想到しうる程度のこととはいえない。さらに、刊行物１、５〜８にも相違点エに係る本件発明１の構成は記載されていない。
　そして、申立人Ｂは、「ｂ本件特許発明１と甲１−１発明との相違点について（i）
　本件特許発明１の構成Ｄ（決定注；「前記サムターン軸と前記胴部材との間であって、軸方向中途部に周方向に沿って環状に形成されてなる取付溝に装着された〇リングからなる第一シール材が設けられている」構成に相当。以下同様。）と同じ構成を有する発明が甲第２号証（決定注；刊行物１３に相当。以下同様。）に記載されている。・・・よって、甲１−１発明に、甲第２号証に記載の発明を適用して当業者が本件特許発明１に導かれる動機付けがあるといえる。・・・以上より、当業者は、甲１−１発明に、甲第２号証に記載の発明を適用して本件特許発明１に容易に想到することができる。
ｃ本件特許発明１と甲１−１発明との相違点について（ii）
　・・・当業者は、甲１−１発明に、甲第３号証（決定注；刊行物４に相当。以下同様。）に記載の発明を適用しても、本件特許発明１に容易に想到することができる。この理由を説明するに、本件特許発明１の構成Ｄと同じ構成を有する発明が甲第３号証に記載されている。・・・よって、甲１−１発明に、甲第３号証に記載の発明を適用して当業者が本件特許発明１に導かれる動機付けがあるといえる。・・・以上より、当業者は、甲１−１発明に、甲第３号証に記載の発明を適用して本件特許発明１に容易に想到することができる。
ｄ本件特許発明１と甲１−１発明との相違点について（iii）
　・・・当業者は、甲１−１発明に、甲第４号証（決定注；刊行物１４に相当。以下同様。）に記載の発明を適用しても、本件特許発明１に容易に想到することができる。この理由を説明するに、本件特許発明１の構成Ｄと同じ構成を有する発明が甲第４号証に記載されている。・・・よって、甲１−１発明に、甲第４号証に記載の発明を適用して当業者が本件特許発明１に導かれる動機付けがあるといえる。・・・以上より、当業者は、甲１−１発明に、甲第４号証に記載の発明を適用して本件特許発明１に容易に想到することができる。」（申立人Ｂの申立書２１頁１行〜２４頁下から５行）旨主張している。しかしながら、刊行物４、１３、１４に記載された事項は、サムターンに相当する部材がない等、刊１２発明とは前提となる構造が異なっており、刊行物４、１３、１４に記載された事項から何をどのように選択し、刊１２発明のどの部分に適用するかは、多くの選択肢が存在しうるものであるし、上記したように、「台座６」と「サムターン４Ｂ」との間にあえてシール材を設ける動機付けはないから、刊１２発明において相違点エに係る本件発明１の構成とすることが当業者が容易に想到しうる程度のこととはいえない。
（ウ）小活 
　よって、他の相違点について検討するまでもなく、本件発明１は、刊１２発明、刊行物１〜１１、刊行物１３〜１９に記載された事項に基いて、当業者が容易に発明をすることができたものではないから、その特許は特許法第２９条第２項の規定に違反してされたものではない。
　イ　本件発明２〜６について
　本件発明２〜６は、本件発明１に従属し、本件発明１の発明特定事項をすべて含むものであるから、本件発明１と同様の理由（上記ア参照）により、刊１２発明、刊行物１〜１１、刊行物１３〜１９に記載された事項に基いて、当業者が容易に発明をすることができたものではないから、その特許は特許法第２９条第２項の規定に違反してされたものではない。
第４　むすび 
　以上のとおりであるから、取消理由通知に記載した取消理由及び特許異議申立書に記載した特許異議申立理由、証拠によっては、本件請求項１〜６に係る特許を取り消すことはできない。
　また、他に本件請求項１〜６に係る特許を取り消すべき理由を発見しない。 
　よって、結論のとおり決定する。
【異議決定日】
令和１年５月１５日（２０１９．５．１５）
【訂正の要旨】
審決（決定）の【理由】欄参照。
（５４）【発明の名称】
サムターン装置およびこれを備えた扉錠
　【技術分野】
　【０００１】
　本発明は、サムターン装置およびこれを備えた扉錠に関するものである。
　【背景技術】
　【０００２】
　扉には、通常、扉錠が設けられている。たとえば本締り可能な扉錠の場合、扉に内蔵される錠ケースにデッドボルトが進退可能に設けられており、室内側からはサムターン装置のツマミの操作によりデッドボルトを出没させて施解錠可能とされ、室外側からはシリンダー装置の鍵の操作により施解錠可能とされる。
　【０００３】
　扉錠を扉に設ける際、ツマミの操作により回転するサムターン軸を扉の室内側から錠ケースへ差し込む必要があり、このサムターン軸を回転可能に保持する胴部材が扉の室内側面に固定される。
　【発明の概要】
　【発明が解決しようとする課題】
　【０００４】
　ところで、実験室等の出入口扉は、実験室内で発生した揮発性ガスや有毒ガスが外部へ漏れ出ないよう、気密性が要求される。
　しかしながら、扉に取り付けられる従来の扉錠は、気密性を有しておらず、サムターン装置やハンドル装置の部分から揮発性ガスが外部に漏れ出るおそれがあった。
　【０００５】
　また、実験室の出入口扉と、実験室に隣接して設けられた前室の扉とには電気錠を設けて、一方の扉を開けた際、他方の扉は自動的に施錠されるように構成されたインターロックシステムを採用することがあるが、この電気錠も気密性を有しておらず、漏れ出た揮発性ガスに、電気錠の火花が引火して爆発を起こすおそれがある。
　【０００６】
　本発明が解決しようとする課題は、実験室等から揮発性ガスや有毒ガスが外部に漏れ出ないようにすると共に、インターロックシステムの構築に必要な電気錠にも使用可能な気密性を有したサムターン装置およびそれを備えた扉錠を提供することにある。
　【課題を解決するための手段】
　【０００７】
　本発明は、前記課題を解決するためになされたもので、請求項１に記載の発明は、
水害や津波によって水没しうる
中空の外開き
扉面に
ラッチは操作することなく
であって、軸方向中途部に周方向に沿って環状に形成されてなる取付溝に装着されたＯリングからなる
　【０００８】
　請求項２に記載の発明は、前記胴部材と
前記外開き
徴とする請求項１に記載のサムターン装置である。
　【０００９】
　請求項４に記載の発明は、前記胴部材と、それを取り付けるためのネジとの間に第三シール材が設けられることを特徴とする請求項１から請求項３のいずれかに記載のサムターン装置である。
　【００１０】
　請求項３に記載の発明は、前記胴部材には、筒状のカラーが取り付けられており、このカラーと
前記外開き
　【００１１】
　本発明の他の形態は、前記サムターン軸または前記サムターン軸が差し込まれる前記胴部材の軸穴には、軸方向に離隔して前記第一シール材が２箇所に設けられ、前記２箇所の第一シール材間に、液材が充填されることを特徴とする請求項１から請求項４までのいずれかに記載のサムターン装置である。
　【００１２】
　本発明の他の形態は、前記デッドボルトが進退可能に設けられた錠ケースに、請求項１から請求項４までのいずれかに記載のサムターン装置が設けられてなることを特徴とする扉錠である。
　【００１３】
　請求項５に記載の発明は、前記デッドボルトが電動で進退するか、後退を規制される電気錠とされ、その電動部は、前記錠ケースに内蔵されていることを特徴とする請求項１から請求項４のいずれかに記載の
サムターン装置を備える
　【００１４】
　本発明の他の形態は、前記錠ケースは、前記サムターン装置が取り付けられる扉面と反対側の扉面に設けられることを特徴とする請求項５に記載の扉錠である。
　【００１５】
　本発明の他の形態は、前記錠ケースは、扉に離隔して取り付けられることを特徴とする扉錠である。
　【００１６】
　さらに、請求項６に記載の発明は、前記錠ケースに進退可能に設けられ、戸先側へ突出するよう付勢されるラッチと、このラッチを後退させる室内側操作部と、この室内側操作部を回転可能に保持する座とをさらに備え、前記室内側操作部と、前記座との間に第四シール材が設けられることを特徴とする請求項５に記載の扉錠である。
　【発明の効果】
　【００１７】
　本発明によれば、気密性を有したサムターン装置およびそれを備えた扉錠を提供できる。
　【図面の簡単な説明】
　【００１８】
　【図１】本発明の扉錠の実施例１を示す図であり、使用状態を室内側から見た正面図である。
　【図２】図１の扉錠を戸先側から見た図である。
　【図３】図１の扉錠を上方から見た概略断面図である。
　【図４】図１の扉錠の分解斜視図である。
　【図５】図１の扉錠の縦断面図であり、（ａ）は解錠状態、（ｂ）は施錠状態を示している。
　【図６】図１の扉錠のサムターン装置を示す横断面図である。
　【図７】本発明の扉錠の実施例２におけるサムターン装置を示す横断面図である。
　【図８】本発明の扉錠の実施例３におけるサムターン装置を示す横断面図である。
　【図９】本発明の扉錠の実施例４におけるサムターン装置を示す横断面図である。
　【図１０】図９のサムターン装置の縦断面図である。
　【図１１】本発明の扉錠の実施例５におけるサムターン装置を示す横断面図である。
　【図１２】本発明の扉錠の実施例６を示す分解斜視図である。
　【図１３】図１２の扉錠が扉に設けられた状態を示す図であり、サムターン装置を戸先側から見た図である。
　【図１４】図１３の縦断面図である。
　【図１５】本発明の扉錠の実施例７におけるサムターン装置を示す縦断面図である。
　【図１６】本発明の扉錠の実施例８におけるサムターン装置を示す縦断面図である。
　【図１７】本発明の扉錠の実施例９の使用状態を室内側から見た正面図である。
　【図１８】図１７の扉錠を戸先側から見た図である。
　【図１９】図１７の扉錠の断面図である。
　【図２０】図１７の扉錠を戸先側から見た要部断面図である。
　【図２１】図１７の扉錠の分解斜視図である。
　【図２２】本発明の扉錠の実施例１０の使用状態を室内側から見た正面図である。
　【図２３】図２２の扉錠を上方から見た概略断面図である。
　【図２４】図２２の扉錠の縦断面図であり、施錠された状態を示す図である。
　【図２５】本発明の扉錠の実施例１１の使用状態を上方から見た概略横断面図である。
　【図２６】本発明の扉錠の実施例１２の使用状態を上方から見た概略断面図である。
　【図２７】本発明の扉錠の実施例１３の使用状態を室内側から見た正面図である。
　【図２８】図２７の扉錠の断面図であり、解錠した状態を示している。
　【図２９】図２７の扉錠の断面図であり、施錠した状態を示している。
　【図３０】本発明の扉錠の実施例１２の変形例を示す図であり、使用状態を上方から見た概略断面図である。
　【発明を実施するための形態】
　【００１９】
　以下、本発明の扉錠の実施例について図面に基づいて具体的に説明する。
　【実施例１】
　【００２０】
　図１は、本発明の扉錠の実施例１を示す図であり、使用状態を室内側から見た正面図である。図２は、図１の扉錠を戸先側から見た図である。図３は、図１の扉錠を上方から見た概略断面図である。図４は、図１の扉錠の分解斜視図である。図５は、図１の扉錠の縦断面図であり、（ａ）は解錠状態、（ｂ）は施錠状態を示している。図６は、図１の扉錠のサムターン装置を示す横断面図である。
　【００２１】
　本実施例１の扉錠１は、玄関扉等の各種扉に適用可能であるが、気密性を必要とする部屋の扉に好適に用いられ、たとえば実験室やクリーンルームの扉に好適に用いられる。以下においては、実験室の扉に取り付けられる場合について説明する。
　【００２２】
　本実施例の扉錠１が使用される扉３は、開き戸形式とされ、たとえば室外側へ開く外開き扉とされる。扉３は、矩形枠状の扉枠５の一側端部に、ヒンジ７を介して回動可能に取り付けられる。
　【００２３】
　図３に示すように、矩形枠状の扉枠５は、その内周面のうち、室内側端部が内側へ突出して戸当り部９が形成されている。扉３は、矩形枠状の扉枠５のうち、室外側に収容されて閉鎖可能とされる。その際、戸当り部９により、扉３が必要以上に室内側へ入り込むのが防止される。また、本実施例では、扉枠５の戸当り部９の室外側面に、合成ゴムなどの弾性材からなるパッキン１１が周方向に沿って設けられており、閉鎖した扉３は、パッキン１１に当接する。
　【００２４】
　本実施例１の扉錠１は、本締りが可能な錠とされ、デッドボルト１５が進退可能に設けられた錠ケース１７と、鍵Ｋの操作によりデッドボルト１５を進退させるシリンダー装置１９と、ツマミの操作によりデッドボルト１５を進退させるサムターン装置２１とを主要部に備える。本実施例１では、扉３の室外側にシリンダー装置１９が取り付けられ、扉３の室内側（実験室側）にサムターン装置２１が取り付けられる。
　【００２５】
　錠ケース１７は、矩形箱状とされ、扉３の戸先側端部の上下方向略中央部に取り付けられる。具体的には、錠ケース１７は、扉３に埋め込まれると共に、錠ケース１７の戸先側端面２３に矩形板状のフロント裏板２５が重ね合わされて、ネジ２７によりフロント裏板２５が錠ケース１７の戸先側端面２３に固定される。また、このフロント裏板２５にフロント板２９が重ね合わされて、フロント板２９を介して扉３の戸先側端部に取付ネジ３１がねじ込まれて、錠ケース１７、フロント裏板２５およびフロント板２９が扉３に固定される。錠ケース１７の戸先側端面２３、フロント裏板２５およびフロント板２９には、デッドボルト１５が通される貫通穴２３ａ，２５ａ，２９ａがそれぞれ形成されている。
　【００２６】
　錠ケース１７に、扉３を施解錠するデッドボルト１５が設けられている。デッドボルト１５は、左右方向に長い長方形状とされ、錠ケース１７の戸先側端面２３に固定されたフロント裏板２５およびフロント板２９から出没可能とされている。デッドボルト１５の基端部の上部には、上方へ開口する矩形状の凹部３３が形成されている。
　【００２７】
　また、錠ケース１７には、デッドボルト１５を出没させる出没操作機構が内蔵されている。本実施例では、出没操作機構として、錠ケース１７に回転可能に保持されるハブ３５と、クリックバネ（不図示）とを有しており、ハブ３５の回転に伴いデッドボルト１５が進退する構成とされている。
　【００２８】
　ハブ３５は、略円柱形状とされ、その軸方向両端部３５ａは縮径して形成されている。ハブ３５の中央部には、軸方向に貫通して係合穴３７が形成されている。係合穴３７は、円形状とされる一方、直径方向に離隔した位置に径方向内側へ突出して三角形状部３７ａが形成されている。
　【００２９】
　また、ハブ３５の外周面の一部には、径方向外側へ突出して矩形状の係止部３９が一体形成されている。ハブ３５は、その軸方向両端部３５ａが錠ケース１７の前後壁面の穴１７ａにそれぞれはめ込まれて、錠ケース１７に回転可能に保持される。また、係止部３９は、デッドボルト１５の凹部３３に差し込まれている。ハブ３５は、デッドボルト１５の突出状態と後退状態とにおいて、クリックバネにより、その安定方向に付勢されている。
　【００３０】
　シリンダー装置１９は、略円柱形状の胴部材４１と、この胴部材４１の中央部に軸方向に沿って形成された穴にはめ込まれて設けられるシリンダー本体４３とを備える。
　【００３１】
　胴部材４１には、径方向に離隔して、２本の丸棒状の取付柱４５，４５が室内側へ突出して設けられている。この取付柱４５の先端部中央には、先端側（室内側）へ開口するネジ穴４５ａが軸方向に沿って形成されている。
　【００３２】
　シリンダー本体４３の先端部には、矩形板状の作動片４７が、先端側へ突出して設けられている。この作動片４７は、シリンダー本体４３の鍵穴に差し込まれる鍵Ｋの回転操作に伴って回転する。
　シリンダー装置１９は、取付柱４５を扉３の穴および錠ケース１７の穴１７ｂに差し込んだ状態で、胴部材４１が扉３の室外側面に当接して設けられる。また、シリンダー本体４３の作動片４７は、ハブ３５の係合穴３７に差し込まれる。これにより、シリンダー本体４３の鍵穴に鍵Ｋを差し込み、鍵Ｋを回転操作することで、作動片４７がハブ３５を回転させてデッドボルト１５を進退させることができる。
　【００３３】
　サムターン装置２１は、回転操作によりデッドボルト１５を進退させるサムターン軸５１と、このサムターン軸５１を回転自在に軸受する胴部材５３と、サムターン軸５１の基端部に設けられるツマミ５５とを備える。
　【００３４】
　サムターン軸５１は、丸棒状とされ、その基端部は径方向外側へ拡径して鍔部５７が形成され、この鍔部５７の基端側に矩形板状のツマミ５５が一体に形成されている。
　【００３５】
　サムターン軸５１の先端部５９は、断面十字状に形成されており、この十字状の先端部５９の基端側に、周方向に沿って環状の溝６１が形成されている。
　【００３６】
　また、サムターン軸５１には、軸方向中途部に断面矩形状の取付溝６３が、周方向に沿って環状に形成されている。
　【００３７】
　胴部材５３は、円柱形状とされ、その中央部には、円形の軸穴６５が軸方向に貫通して形成されている。また、胴部材５３には、径方向に離隔して２か所に、取付穴６７が軸方向に貫通して形成されている。
　【００３８】
　サムターン軸５１は、取付溝６３にシール材６９が装着された状態で、胴部材５３の軸穴６５に差し込まれる。本実施例では、シール材６９としてＯリングが用いられる。胴部材５３の軸穴６５に差し込まれたサムターン軸５１は、その先端部５９が胴部材５３から突出して設けられ、先端部の環状溝６１にＥリング７１が取り付けられる。
　これにより胴部材５３が鍔部５７とＥリング７１とに挟み込まれ、胴部材５３に取り付けられたサムターン軸５１は、胴部材５３に対する軸方向の移動が規制される一方、胴部材５３に回転可能に保持される。
　【００３９】
　サムターン軸５１の外周部に設けられたシール材６９は、サムターン軸５１と胴部材５３との間、具体的には、サムターン軸５１の外周部と胴部材５３の軸穴６５との間の隙間を封止する。つまり、シール材６９の外周部は胴部材５３の軸穴６５の内周面に当接しており、サムターン軸５１の外周部と胴部材５３の軸穴６５との隙間を密閉している。
　【００４０】
　サムターン軸５１が取り付けられた胴部材５３は、扉３の室内側面に当接して設けられる。この際、サムターン軸５１は、扉３に形成された穴に通されて、その十字状の先端部５９が、錠ケース１７の穴を介してハブ３５の係合穴３７にはめ込まれる。これにより、サムターン軸５１とハブ３５は一体回転可能とされ、サムターン軸５１に設けられたツマミ５５を回すと、サムターン軸５１の先端部５９がハブ３５を回転させて、デッドボルト１５を進退させることができる。
　【００４１】
　サムターン軸５１の先端部５９がハブ３５の係合穴３７にはめ込まれた状態で、胴部材５３の取付穴６７から、シリンダー装置１９に設けられた取付柱４５に向けて、ネジ７３がねじ込まれる。これにより、扉３の室内側にサムターン装置２１が固定され、室外側にシリンダー装置１９がサムターン装置２１に対向して固定される。
　【００４２】
　このように扉３に設けられた扉錠１は、室内側からはツマミ５５を回転操作することで、サムターン軸５１が一体回転し、さらにハブ３５が回転する。これによりデッドボルト１５が進退して施解錠が可能とされる。一方、室外側からは、シリンダー装置１９のシリンダー本体４３に鍵Ｋを差し込んで鍵Ｋを回転操作することで、作動片４７が回転し、さらにハブ３５が回転する。これによりデッドボルト１５が進退して施解錠が可能とされる。
　【００４３】
　本実施例１の扉錠１のサムターン装置２１は、サムターン軸５１と胴部材５３との間にシール材６９が配置され、シール材６９は、サムターン軸５１の外周部に当接すると共に、胴部材５３の軸穴６５の内周面にも当接しており、サムターン軸５１の外周部と胴部材５３の軸穴６５との隙間をシール材６９が密閉しており、気密性を有している。
　これにより、たとえば、実験室内で発生した揮発性ガスや有毒ガスが、サムターン軸５１と胴部材５３との隙間を通って外部へ流出することがなく、室外で使用される電気機器等の火花によって爆発するおそれもなく、人体に被害を与えるおそれもない。また、本実施例１の扉錠１は、気密性を有していると共に水密性を有している。したがって、実験室内において水漏れが発生した場合でも、水がサムターン軸５１と胴部材５３との隙間を通って外部へ流出することがない。
　【実施例２】
　【００４４】
　次に、本発明の扉錠の実施例２について説明する。
　本実施例２の扉錠１は、基本的には上記実施例１の扉錠と同様の構成である。そこで、以下においては、両者の異なる部分を中心に説明し、対応する箇所には同一符号を付して説明する。
　【００４５】
　図７は、本発明の扉錠の実施例２におけるサムターン装置を示す横断面図である。
　【００４６】
　本実施例では、サムターン装置２１の胴部材５３は、シール材７９を介して扉に固定される。具体的には、サムターン装置２１の胴部材５３は、その先端面の外周部に、先端側へ開口する断面矩形状の取付溝７７が環状に形成されている。つまり、胴部材５３には、扉３の室内側面に当接する面の外周部に、環状の取付溝７７が形成されており、この取付溝７７の内側に取付穴６７が配置されている。この胴部材５３の取付溝７７に、シール材７９がはめ込まれて設けられる。本実施例では、シール材７９としてＯリングが用いられる。
　【００４７】
　胴部材５３は、取付溝７７にシール材７９が配置された状態で、扉３の室内側面に当接して設けられる。そして、実施例１と同様にシリンダー装置１９の取付柱４５にネジ７３がねじ込まれてサムターン装置２１が扉３に固定される。このように、本実施例２では、胴部材５３は、シール材７９を介して扉３の室内側面に重ね合わされて固定される。
　【００４８】
　また、本実施例２では、サムターン軸５１と胴部材５３との間にシール材６９が配置されると共に、サムターン装置２１が扉３に取り付けられた状態では、胴部材５３と扉３の室内側面との間にシール材７９が配置され、シール材７９は、胴部材５３に当接すると共に、扉３の室内側面にも当接しており、胴部材５３の先端面と扉３の室内側面との隙間を密閉している。これにより、サムターン装置２１および室内の気密性および水密性が一層高められる。
　【実施例３】
　【００４９】
　次に、本発明の扉錠の実施例３について説明する。
　本実施例３の扉錠１は、基本的には上記実施例２の扉錠１と同様の構成である。そこで、以下においては、上記実施例２と異なる部分を中心に説明し、対応する箇所には同一符号を付して説明する。
　【００５０】
　図８は、本発明の扉錠の実施例３におけるサムターン装置を示す横断面図である。
　【００５１】
　本実施例３では、胴部材５３の取付穴６７の基端部に、環状の取付溝８３が形成されている。具体的には、取付穴６７の基端部６７ａは、拡径して形成される一方、取付穴６７の外周部に沿って基端側（室内側）へ円筒状に突出して円筒状部８５が形成されている。
　換言すれば、取付穴６７の基端部には、取付穴６７に連続する円筒状部８５を残して、取付穴６７の外周部に環状の取付溝８３が形成されている。なお、図示例では、円筒状部８５は、拡径穴とされた基端部６７ａの軸方向中途部まで延出している。
　【００５２】
　本実施例３では、この取付溝８３にシール材８７がはめ込まれた状態で、実施例１と同様、ネジ７３がシリンダー装置１９の取付柱４５にねじ込まれる。本実施例では、シール材８７としてＯリングが用いられる。
　【００５３】
　本実施例３では、サムターン軸５１と胴部材５３との間、および胴部材５３と扉３の室内側面との間にそれぞれシール材６９，７９が設けられると共に、胴部材５３からシリンダー装置１９の取付柱４５にネジ７３がねじ込まれた状態では、取付溝８３にシール材８７が配置されており、そのシール材８７は、ネジ７３の頭部に当接すると共に、環状溝８３の底部にも当接しており、ネジ７３の頭部と胴部材５３の取付穴６７との隙間を密閉している。これにより、サムターン装置２１および室内の気密性および水密性が一層高められる。
　【実施例４】
　【００５４】
　次に、本発明の扉錠の実施例４について説明する。
　本実施例４の扉錠は、基本的には前記実施例３の扉錠と同様の構成である。そこで、以下においては、前記実施例３と異なる部分を中心に説明し、対応する箇所には同一符号を付して説明する。
　【００５５】
　図９および図１０は、本発明の扉錠の実施例４におけるサムターン装置を示す図であり、図９は横断面図、図１０は縦断面図である。
　【００５６】
　本実施例４では、サムターン軸５１に、周方向に沿って環状に形成された断面矩形状の取付溝６３が、軸方向に離隔して２つ形成されている。また、取付溝６３，６３間には、断面矩形状の凹溝９１が、周方向に沿って環状に形成されている。
　【００５７】
　胴部材５３には、外周面から軸穴６５に向けて穴９３が形成されている。図示例では、胴部材５３の上端部から軸穴６５に向けて、胴部材５３の外周面に開口する穴９３が形成されている。この穴９３の一端部には、丸棒状のキャップ部材９５がはめ込まれて固定されており、胴部材５３の外周面における穴９３の開口部は閉塞されている。
　【００５８】
　また、胴部材５３には、その先端面から穴９３に向けて、注入穴９７が形成されている。この注入穴９７はネジ穴とされており、注入穴９７の一端部９７ａは拡径して形成されている。
　【００５９】
　本実施例４では、サムターン軸５１の２つの取付溝６３に、それぞれシール材６９がはめ込まれた状態で、胴部材５３の軸穴６５にサムターン軸５１が差し込まれて、サムターン軸５１の先端部の環状溝６１にＥリング７１が取り付けられる。
　【００６０】
　胴部材５３にサムターン軸５１が取り付けられた状態で、注入穴９７から液材９９が注入される。本実施例では、液材９９としてオイルが用いられる。注入穴９７から注入された液材９９は、サムターン軸５１の凹溝９１に貯留される。このようにしてサムターン軸５１の外周部に沿って環状に液材９９が充填されて、サムターン軸５１の外周部を液材９９が覆う。液材９９を注入した後、注入穴９７にネジ１０１がねじ込まれて注入穴９７は閉じられる。凹溝９１に貯留される液材９９は、シール材６９，６９により外部へ漏れることがない。
　【００６１】
　このように、胴部材５３にサムターン軸５１が取り付けられ、さらに、液材９９が注入された状態で、上記実施例１と同様にして、扉３の室内側に胴部材５３が固定される。
　【００６２】
　本実施例では、胴部材５３と扉３の室内側面との間、および胴部材５３の取付穴６７とネジ７３との間にそれぞれシール材７９，８７が設けられている。さらに、サムターン軸５１と胴部材５３の軸穴６５との間にシール材６９，６９が配置されると共に、サムターン軸５１と胴部材５３との間に液材９９が充填されることで、ガスの通過をより一層防止することができ、気密性がより一層高い扉錠１とされる。
　【実施例５】
　【００６３】
　次に、本発明の扉錠の実施例５について説明する。
　本実施例５の扉錠は、基本的には上記実施例３の扉錠と同様の構成である。そこで、以下においては、上記実施例３と異なる部分を中心に説明し、対応する箇所には同一符号を付して説明する。
　【００６４】
　図１１は、本発明の扉錠の実施例５におけるサムターン装置を示す横断面図である。
　【００６５】
　本実施例では、胴部材５３の軸穴６５の軸方向中途部に、径方向外側へ凹んで、周方向に沿って断面矩形状の取付溝１０５が環状に形成されている。
　そして、この取付溝１０５にシール材１０７が配置されて、サムターン軸５１が胴部材５３の軸穴６５に差し込まれる構成とされる。シール材１０７には、Ｏリングが用いられる。
　本実施例５では、実施例３と同様、サムターン軸５１の外周部と胴部材５３の軸穴６５との隙間、胴部材５３の先端面と扉３の室内側面との隙間、ネジ７３の頭部と胴部材５３の取付穴６７との隙間が、それぞれシール材１０７，７９，８７により密閉されており、サムターン装置２１および室内の気密性および水密性が高められる。
　【実施例６】
　【００６６】
　次に、本発明の扉錠の実施例６について説明する。
　本実施例６の扉錠は、基本的には上記実施例１の扉錠と同様の構成である。そこで、以下においては、両者の異なる部分を中心に説明し、対応する箇所には同一符号を付して説明する。
　【００６７】
　図１２は、本発明の扉錠の実施例６を示す分解斜視図である。
　また、図１３は、図１２の扉錠の使用状態を示す図であり、サムターン装置を戸先側から見た図であり、図１４は、図１３の縦断面図である。
　【００６８】
　本実施例では、シリンダー装置１９およびサムターン装置２１の取付け方が、実施例１と異なっている。具体的には、本実施例では、サムターン装置２１の胴部材５３は、略段付き円柱形状とされ、その先端部には、先端側へ突出して取付部１１１が形成されている。この取付部１１１には、左右方向（扉の幅方向）に沿って貫通穴１１３が形成されている。
　【００６９】
　胴部材５３には、軸方向に沿って軸穴６５が貫通して形成されており、この軸穴６５にサムターン軸５１が差し込まれる。本実施例６では、実施例１と同様、サムターン軸５１の軸方向中途部に取付溝６３が形成されており、この取付溝６３にシール材６９がはめ込まれた状態で、サムターン軸５１は胴部材５３の軸穴６５に通される。また、実施例１と同様、サムターン軸５１の先端部５９には、環状溝６１が形成されており、サムターン軸５１が胴部材５３の軸穴６５に差し込まれた状態で、環状溝６１にＥリング７１が取り付けられる。これにより、胴部材５３が鍔部５７とＥリング７１とに挟み込まれ、胴部材５３に取り付けられたサムターン軸５１は、胴部材５３に対する軸方向の移動が規制される一方、胴部材５３に回転可能に保持される。
　【００７０】
　サムターン軸５１が取り付けられた胴部材５３は、扉３の室内側面に重ね合わされて設けられるシール材１１５およびこのシール材１１５に重ね合わされて設けられるカラー１１７を介して、扉３に形成された穴にはめ込まれる。
　【００７１】
　シール材１１５は、弾性材により形成された板状とされ、本実施例では、合成ゴム製の円板形状とされる。本実施例では、シール材１１５は、貫通穴１１５ａが形成されたシート状とされ、この貫通穴１１５ａは胴部材５３の先端側小径部１１９の外径に対応している。シール材１１５は、その貫通穴１１５ａが扉３の貫通穴と連通するように、扉３の室内側面に重ね合わされて配置される。なお、シール材１１５は、扉３に固定してもよい。
　【００７２】
　カラー１１７は、筒状とされ、本実施例では、内外二重の円筒状体とされている。
　具体的には、基端側（室内側）へ開口する有底の円筒状の内筒１２１の基端部から径方向外側へ延出した後、先端側（室外側）へ円筒状に延出して外筒１２３が形成された二重筒に形成されている。外筒１２３は、内筒１２１より先端側へ延出している。
　【００７３】
　内筒１２１の内径は、胴部材５３の基端側大径部１２５の外径に対応している。
　また、内筒１２１の底部１２７には、貫通穴１２７ａが形成されており、この貫通穴１２７ａは胴部材５３の先端側小径部１１９の外径に対応している。
　【００７４】
　カラー１１７は、扉３に設けられたシール材１１５に重ね合わされて配置される。
　そして、このカラー１１７の内筒１２１内にコイルバネ１２９が配置された状態で、胴部材５３がカラー１１７の内筒１２１内に差し込まれる。
　【００７５】
　カラー１１７の内筒１２１に通された胴部材５３は、内筒１２１の底部１２７の穴１２７ａおよびシール材１１５の穴１１５ａを介して扉３の穴３ａに通される。そして、サムターン軸５１の先端部５９が錠ケース１７に設けられたハブ３５の係合穴３７にはめ込まれると共に、胴部材５３の取付部１１１が錠ケース１７の穴１７ｃにはめ込まれる。
　【００７６】
　胴部材５３の取付部１１１が、錠ケース１７内に突入して設けられた状態で、錠ケース１７内に左右方向に沿って棒状の係止ピン１３１が挿入され、この係止ピン１３１が取付部１１１の貫通穴１１３にはめ込まれて、サムターン装置２１が錠ケース１７に固定される。なお、本実施例では、ハブ３５は、錠ケース１７内に設けられる保持部材（不図示）に回転可能に保持されている。
　【００７７】
　このようにサムターン装置２１が錠ケース１７に固定された状態において、カラー１１７に収容されたコイルバネ１２９は、その一端部が、内筒１２１の底部１２７に当接し、他端部が、胴部材５３の基端側大径部１２５に当接して設けられる。
　これにより、胴部材５３が錠ケース１７に固定された状態では、カラー１１７は、コイルバネ１２９により先端側（室外側）へ付勢され、シール材１１５を押圧する。
　このように、本実施例では、胴部材５３は、カラー１１７を介して扉３の室内側面に当接して設けられ、カラー１１７と扉３の室内側面との間にシール材１１５が設けられている。
　【００７８】
　シリンダー装置１９の胴部材４１は、サムターン装置２１の胴部材５３と同様、略段付き円柱形状とされ、その先端部には、先端側へ突出して取付部１３３が形成されている。
　この取付部１３３には、左右方向（扉の幅方向）に沿って貫通穴１３５が形成されている。胴部材４１には、軸方向に沿って穴が貫通して形成されており、この穴にシリンダー本体４３が差し込まれる。
　【００７９】
　シリンダー装置１９は、サムターン装置２１と同様、胴部材４１の外周部にカラー１３７が設けられた状態で、扉３の穴に胴部材４１がはめ込まれ、錠ケース１７内のハブ３５の係合穴３７に作動片４７が差し込まれると共に、錠ケース１７の穴に胴部材４１の取付部１３３がはめ込まれる。そして、錠ケース１７内に左右方向に沿って挿入される棒状の係止ピン１３９が、取付部１３３の貫通穴１３５にはめ込まれて、シリンダー装置１９が錠ケース１７に固定される。
　【００８０】
　本実施例６では、サムターン軸５１と胴部材５３との間、および胴部材５３と扉３との間にシール材６９，１１５が配置される。具体的には、サムターン軸５１の外周部と胴部材５３の軸穴６５との間、および胴部材５３の外周部と扉３の穴との間にシール材６９，１１５が配置され、サムターン軸５１の外周部と胴部材５３の軸穴６５との隙間、および胴部材５３の外周部と扉３の穴との隙間がシール材６９，１１５により埋められて封止されていることで、サムターン装置２１および室内は気密性を有する構成とされている。
　【実施例７】
　【００８１】
　次に、本発明の扉錠の実施例７について説明する。
　本実施例７の扉錠は、基本的には上記実施例６の扉錠と同様の構成である。そこで、以下においては、両者の異なる部分を中心に説明し、対応する箇所には同一符号を付して説明する。
　【００８２】
　図１５は、本発明の扉錠の実施例７におけるサムターン装置を示す縦断面図である。
　【００８３】
　本実施例７では、サムターン装置２１の胴部材５３に取り付けられるカラー１４１は、基端側（室内側）へ行くに従って縮径する円錐台形状とされ、その中央部には、軸方向に沿って段付きの貫通穴１４３が形成されている。この貫通穴１４３のうち、基端側大径穴１４５は胴部材５３の基端側大径部１２５に対応した内径とされる。また、カラー１４１の貫通穴１４３のうち、先端側小径穴１４７は、ネジ穴とされている。
　【００８４】
　カラー１４１の先端面の外周部には、先端側へ開口して、断面矩形状の取付溝１４９が環状に形成されている。この取付溝１４９には、シール材１５１がはめ込まれて設けられる。本実施例７では、シール材１５１としてＯリングが用いられる。
　【００８５】
　胴部材５３は、その基端側大径部１２５の外周面に、径方向外側へ開口する断面矩形状の取付溝１５３が、周方向に沿って環状に形成されている。この胴部材５３の取付溝１５３に、シール材１５５がはめ込まれて設けられる。本実施例では、シール材１５５としてＯリングが用いられる。
　【００８６】
　また、胴部材５３の先端側小径部１１９には、その外周部にネジ溝が形成されており、胴部材５３にカラー１４１がねじ込まれて取り付けられる。
　カラー１４１は、胴部材５３に設けられたシール材１５５が、カラー１４１の基端側大径穴１４５内に配置されるまで、胴部材５３にねじ込まれて取り付けられる。
　【００８７】
　カラー１４１が取り付けられた胴部材５３は、実施例６と同様に、扉３の穴に差し込まれ、サムターン軸５１の先端部５９がハブ３５の係合穴３７にはめ込まれると共に、胴部材５３の取付部１１１が錠ケース１７の穴１７ｃにはめ込まれる。
　そして、錠ケース１７に左右方向に沿って通される係止ピン１３１が取付部１１１の穴１１３に通されて、胴部材５３が錠ケース１７に固定されて、扉３に取り付けられた錠ケース１７にサムターン装置２１が設けられる。
　【００８８】
　サムターン装置２１が錠ケース１７に取り付けられた状態では、カラー１４１の先端面は扉３の室内側面に当接しており、カラー１４１の取付溝１４９に設けられたシール材１５１が、扉３の室内側面に圧着して設けられている。このように、本実施例７では、胴部材５３は、カラー１４１を介して扉３の室内側面に当接して設けられ、カラー１４１と扉３の室内側面との間にシール材１５１が設けられている。
　【００８９】
　本実施例７では、サムターン軸５１と胴部材５３の間、胴部材５３とカラー１４１との間、およびカラー１４１と扉３との間にシール材６９，１５５，１５１が配置される。具体的には、サムターン軸５１の外周部と胴部材５３の軸穴６５との間、胴部材５３の外周部とカラー１４１の内周面との間、およびカラー１４１の先端面と扉３の室内側面との間にシール材６９，１５５，１５１がそれぞれ配置され、各隙間がシール材６９，１５５，１５１により密閉されていることで、気密性の高い扉錠１が構成される。
　【実施例８】
　【００９０】
　次に、本発明の扉錠の実施例８について説明する。
　本実施例８の扉錠は、基本的には上記実施例７の扉錠と同様の構成である。そこで、以下においては、両者の異なる部分を中心に説明し、対応する箇所には同一符号を付して説明する。
　【００９１】
　図１６は、本発明の扉錠の実施例８におけるサムターン装置を示す縦断面図である。
　【００９２】
　本実施例８では、サムターン装置２１の胴部材５３が、２つに分離された構成とされると共に、サムターン軸５１が、２つに分離された構成とされる。
　具体的には、胴部材５３は、第一胴部材６１１と、この第一胴部材６１１に連結される第二胴部材６１３とを備える。
　【００９３】
　第一胴部材６１１は、略円柱形状とされ、その先端部中央には、先端側へ開口して凹部６１５が形成されている。また、第一胴部材６１１には、基端部から凹部６１５に開口するように、軸穴６１７が貫通して形成されている。
　また、第一胴部材６１１は、その先端面の外周部に、先端側へ開口する断面矩形状の取付溝６１９が環状に形成されている。
　さらに、第一胴部材６１１には、基端部から凹部６１５に開口する取付穴６２１が形成されており、この取付穴６２１の基端部には、実施例３と同様に取付溝６２３が形成されている。
　【００９４】
　第二胴部材６１３は、略円柱形状とされ、その先端部には先端側へ突出して取付部１１１が形成されており、この取付部１１１には扉３の幅方向に沿って貫通穴１１３が形成されている。
　また、第二胴部材６１３は、その外径が、第一胴部材６１１の凹部６１５に対応しており、第一胴部材６１１の凹部６１５にはめ込まれて設けられる。
　さらに、第二胴部材６１３には、軸方向に沿って段付きの軸穴６３１が形成されている。
　【００９５】
　サムターン軸５１は、実施例７におけるサムターン軸５１が、軸方向中途部で分離された構成とされ、基端側に配置される第一サムターン軸６３５と、この第一サムターン軸６３５に連結される第二サムターン軸６３７とを備える。
　【００９６】
　第一サムターン軸６３５は、丸棒状とされ、その基端部に鍔部５７が形成され、この鍔部５７の基端側に矩形板状のツマミ５５が一体に形成されている。
　第一サムターン軸６３５には、軸方向中途部に断面矩形状の取付溝６３が、周方向に沿って環状に形成されている。
　また、第一サムターン軸６３５の先端部には、その外周面に周方向に沿って環状の溝６３９が形成されている。さらに、第一サムターン軸６３５の先端部には、先端側へ矩形板状に突出して係合部６４１が形成されている。
　【００９７】
　第二サムターン軸６３７は、丸棒状とされ、その先端側が縮径して形成されており、軸方向中途部に段部６４３が形成されている。また、第二サムターン軸６３７の先端部５９は、断面十字状に形成されており、この十字状の先端部５９の基端側に、周方向に沿って環状の溝６１が形成されている。
　【００９８】
　第二サムターン軸６３７の基端部中央には、径方向に沿って、基端側（室内側）へ開口する矩形状の溝６４５が形成されており、この溝６４５に、第一サムターン軸６３５の係合部６４１がはめ込み可能とされる。
　【００９９】
　本実施例では、第二胴部材６１３の軸穴６３１に第二サムターン軸６３７がはめ込まれて、第二サムターン軸６３７の溝６１にＥリング７１がはめ込まれる。
　この際、第二サムターン軸６３７の段部６４３が、第二胴部材６１３の軸穴６３１の段部に当接することで、第二サムターン軸６３７の第二胴部材６１３に対する軸方向の移動が規制されると共に、第二サムターン軸６３７は第二胴部材６１３に対して回転可能に保持される。
　【０１００】
　第一サムターン軸６３５は、その取付溝６３にシール材６９が取り付けられた状態で、第一胴部材６１１の軸穴６１７にはめ込まれて、その先端部の溝６３９にＥリング６４７がはめ込まれる。これにより、第一胴部材６１１が、第一サムターン軸６３５の鍔部５７とＥリング６４７とに挟み込まれて、第一サムターン軸６３５は、第一胴部材６１１に対して軸方向の移動が規制されると共に、第一胴部材６１１に回転可能に保持される。
　【０１０１】
　第一胴部材６１１に装着された第一サムターン軸６３５は、その先端部の係合部６４１が、第二胴部材６１３に装着された第二サムターン軸６３７の溝６４５にはめ込まれ、第二胴部材６１３は、第一胴部材６１１の凹部６１５にはめ込まれる。第一サムターン軸６３５に連結された第二サムターン軸６３７は、第一サムターン軸６３５と一体回転する。
　【０１０２】
　第一胴部材６１１に第二胴部材６１３がはめ込まれた状態で、第一胴部材６１１の取付穴６２１から第二胴部材６１３にネジ６４９がねじ込まれて、第一胴部材６１１が第二胴部材６１３に固定される。この際、取付穴６２１の取付溝６２３には、シール材６５１が設けられる。本実施例では、シール材６５１にＯリングが用いられる。
　【０１０３】
　このように、第一胴部材６１１、第二胴部材６１３、第一サムターン軸６３５および第二サムターン軸６３７が一体化された状態で、第一胴部材６１１の取付溝６１９にシール材６５５が取り付けられ、第二胴部材６１３の取付部１１１が扉３の穴を介して錠ケース１７の穴にはめ込まれて設けられる。
　そして、係止ピン１３１が第二胴部材６１３の貫通穴１１３にはめ込まれて、サムターン装置２１が錠ケース１７に固定される。
　【０１０４】
　本実施例８では、サムターン軸５１と胴部材５３の間、胴部材５３と扉３との間、および胴部材５３とネジ６４９との間にシール材６９，６５５，６５１がそれぞれ配置される。具体的には、サムターン軸５１の外周部と胴部材５３の軸穴６１７との間、胴部材５３の先端面と扉３の室内側面との間、および、胴部材５３の取付穴６２１とネジ６４９との間の隙間を各シール材６９，６５５，６５１が密閉しており、気密性の高い扉錠１が構成される。
　【実施例９】
　【０１０５】
　次に、本発明の扉錠の実施例９について説明する。
　本実施例９の扉錠は、基本的には上記実施例１の扉錠と同様の構成である。そこで、以下においては、両者の対応する箇所には同一符号を付すと共に、両者の異なる部分を中心に説明し、同様の構成部分については説明を省略する。
　【０１０６】
　図１７は、本発明の扉錠の実施例９の使用状態を室内側から見た正面図であり、図１８は、図１７の扉錠を戸先側から見た図であり、図１９は、図１７の扉錠の断面図である。また、図２０は、図１７の扉錠を戸先側から見た断面図であり、一部を省略して示している。図２１は、図１７の扉錠の分解斜視図である。
　【０１０７】
　本実施例９の扉錠１は、実施例１と同様、デッドボルト１５が進退可能に設けられた錠ケース１７と、鍵Ｋの操作によりデッドボルト１５を進退させるシリンダー装置１９と、ツマミ５５の操作によりデッドボルト１５を進退させるサムターン装置２１とを備え、さらに、錠ケース１７に進退可能に設けられるラッチ１６１と、このラッチ１６１を進退させるラッチハブ１６３と、このラッチハブ１６３を回転操作するハンドル装置１６５とを備える。
　【０１０８】
　本実施例の錠ケース１７は、実施例１の錠ケースと同様の構成とされる一方、錠ケース１７の戸先側端面２３、フロント裏板２５およびフロント板２９には、デッドボルト１５が通される穴２３ａ，２５ａ，２９ａの下部に、さらにラッチ１６１が通される貫通穴２３ｂ，２５ｂ，２９ｂがそれぞれ形成されている。
　【０１０９】
　ラッチ１６１は、ラッチ頭部１６７と、このラッチ頭部１６７に接続されるラッチ軸部１６９とを有している。
　【０１１０】
　ラッチ頭部１６７は、斜面部と直線部とが形成された平面視三角形状とされ、その基端部１６７ａは矩形状に形成されている。
　【０１１１】
　ラッチ軸部１６９は、丸棒状とされ、案内部材１７３に通された状態で、その一端部がラッチ頭部１６７の基端部１６７ａに形成された穴またはネジ穴に、圧入またはねじ込まれてラッチ頭部１６７に固定されている。ラッチ軸部１６９の他端部には、鍔部１７１が形成されている。
　【０１１２】
　案内部材１７３は、コ字形状とされ、その開放両端片１７５，１７７に貫通穴が形成されており、この貫通穴にラッチ軸部１６９が通されている。ラッチ軸部１６９がラッチ頭部１６７に取り付けられた状態において、案内部材１７３の一端片１７５は、ラッチ頭部１６７に当接しており、他端片１７７はラッチ軸部１６９の他端部の鍔部１７１に当接している。
　【０１１３】
　また、案内部材１７３には、その他端片１７７に、矩形板状の凸部１７９が室内側および室外側へ突出して形成されており、この凸部１７９は、錠ケース１７に形成されたガイド穴１８１にはめ込まれる。これにより、ラッチ１６１は、錠ケース１７に左右方向に沿って進退可能に設けられる。
　【０１１４】
　ラッチ軸部１６９の鍔部１７１には、バネ１８３の一端部がはめ込まれて、バネ１８３の一端部は、案内部材１７３の他端片１７７に当接して設けられている。また、バネ１８３の他端部は錠ケース１７の吊元側端面に当接して設けられている。このバネ１８３によりラッチ１６１は、常時突出方向に付勢されている。
　【０１１５】
　ラッチハブ１６３は、断面四角形の柱形状とされると共に、その軸方向両端部１６３ａは、円形状に形成されている。ラッチハブ１６３の中央部には、軸方向に沿って四角形状の貫通穴１８５が形成されている。このラッチハブ１６３には、係合部材１８７が取り付けられている。
　【０１１６】
　係合部材１８７は、板材を屈曲して形成されたコ字形状材とされ、その前後両端片１８９には、矩形状の貫通穴１９１がそれぞれ形成されている。また、係合部材１８７の前後両端片１８９には、それぞれ、上方へ矩形状に突出して係合片１９３が形成されている。
　【０１１７】
　ラッチハブ１６３は、ねじりバネ１９５が通された状態で、係合部材１８７の前後両端片１８９，１８９間に配置され、係合部材１８７の前後両端片１８９の貫通穴１９１にはめ込まれて係合部材１８７に取り付けられる。
　このようにラッチハブ１６３に設けられた係合部材１８７は、ラッチハブ１６３と一体回転可能とされる。
　【０１１８】
　係合部材１８７に装着されたラッチハブ１６３は、その軸方向両端部１６３ａが、係合部材１８７の前後両端片１８９から前後方向外側へ突出しており、この軸方向両端部１６３ａが、それぞれ錠ケース１７の穴１７ｄにはめ込まれて、錠ケース１７に回転可能に保持される。
　【０１１９】
　図１９に示すように、ラッチ１６１のラッチ頭部１６７が錠ケース１７から突出した状態において、係合部材１８７の各係合片１９３は、案内部材１７３の右端片１７７に近接して配置される。また、ねじりバネ１９５の一端部１９５ａは、錠ケース１７の壁面を切り起こして形成された板状部１９７に当接している。
　さらに、錠ケース１７にラッチハブ１６３が取り付けられ、ラッチ１６１が突出した状態では、係合部材１８７の中央片１９９の一端部（図１９において右端部）が錠ケース１７に立設された柱材２０１に当接している。
　【０１２０】
　錠ケース１７に取り付けられたラッチハブ１６３は、図１９においてねじりバネ１９５により反時計方向に付勢されているが、係合部材１８７の中央片１９９が柱材２０１に当接することで、一定以上の回転が規制されている。
　なお、ラッチ１６１は、案内部材１７３の凸部１７９が、錠ケース１７のガイド穴１８１の端部に当接することで、一定以上の突出が規制される。
　【０１２１】
　ハンドル装置１６５は、回転操作によりラッチ１６１を後退させる室外側ハンドル２０５と、この室外側ハンドル２０５を回転可能に保持する座２０７と、室内側に設けられ、回転操作によりラッチ１６１を後退させる室内側ハンドル２０９と、この室内側ハンドル２０９を回転可能に保持する座２１１と、室外側ハンドル２０５と室内側ハンドル２０９とを連結する連結軸２１３とを主要部に備える。
　【０１２２】
　室外側ハンドル２０５は、略Ｌ字形状とされ、操作部２１５と、この操作部２１５の一端部から直角に延出する丸棒状の取付部２１７とにより構成される。
　【０１２３】
　取付部２１７は、先端側が縮径して形成されている。取付部２１７の先端部２１９の外周面には、周方向に沿って環状の溝２２１が形成されている。
　さらに、取付部２１７の先端部２１９の中央には、先端側（室内側）へ開口する断面矩形状の穴２２３が軸方向に沿って形成されている。
　【０１２４】
　座２０７は、円板形状とされ、その中央部には軸方向に沿って貫通穴２２５が形成されている。また、座２０７には、径方向に離隔して、２本の丸棒状の取付柱２２７，２２７が室内側へ突出して設けられている。この取付柱２２７の先端部中央には、先端側へ開口するネジ穴２２７ａが軸方向に沿って形成されている。
　【０１２５】
　室外側ハンドル２０５は、その取付部２１７の先端部２１９が座２０７の貫通穴２２５に通されて、環状溝２２１にＥリング２２９がはめ込まれる。取付部２１７の基端側大径部とＥリング２２９とにより座２０７が挟み込まれ、室外側ハンドル２０５は座２０７に対して軸方向の移動が規制されると共に、回転可能に座２０７に保持される。
　【０１２６】
　室外側ハンドル２０５が取り付けられた座２０７は、その取付柱２２７を扉３の穴および錠ケース１７の穴１７ｅにはめ込んで、扉３の室外側面に当接して設けられる。
　【０１２７】
　室内側ハンドル２０９は、略Ｌ字形状とされ、操作部２３５と、この操作部２３５の一端部から直角に延出する丸棒状の取付部２３７とにより構成されており、室外側ハンドル２０５と略同形状とされる。
　【０１２８】
　取付部２３７は、その先端部２３９が縮径して形成されている。また、取付部２３７の先端部２３９の外周面には、周方向に沿って環状の溝２４１が形成されている。
　さらに、取付部２３７の先端部２３９の中央には、先端側（室外側）へ開口する断面矩形状の穴２４３が軸方向に沿って形成されている。
　【０１２９】
　連結軸２１３は、断面矩形状の棒材とされ、その一端部が室内側ハンドル２０９の取付部２３７の穴２４３にはめ込まれてネジ２４５により室内側ハンドル２０９に固定される。
　【０１３０】
　座２１１は、略円柱形状とされ、その中央部には、軸方向に貫通して円形の軸穴２４７が形成されている。この軸穴２４７には、径方向外側へ凹んで、周方向に沿って環状に形成された断面矩形状の取付溝２４９が、軸方向に離隔して２つ形成されている。
　【０１３１】
　座２１１には、取付溝２４９，２４９間に開口するように、外周面から軸穴２４７に向けて貫通する穴２５１が形成されている。図示例では、座２１１の上端部から軸穴２４７に向けて縦穴２５１が形成されている。座２１１の外周面に開口する穴２５１の一端部（縦穴２５１の上端部）には、丸棒状のキャップ部材２５３がはめ込まれて固定されており、穴２５１の一端部は閉塞されている。
　【０１３２】
　また、座２１１には、その先端面から穴２５１に向けて、注入穴２５５が形成されている。この注入穴２５５はネジ穴とされており、注入穴２５５の一端部２５５ａは拡径して形成されている。
　【０１３３】
　さらに、座２１１の先端面の外周部には、先端側へ開口する断面矩形状の取付溝２５７が環状に形成されている。この取付溝２５７には、シール材２５８が取り付けられる。本実施例では、シール材２５８としてＯリングが用いられる。
　【０１３４】
　座２１１の軸穴２４７の各取付溝２４９に第四シール材としてのシール材２５９がそれ
ぞれはめ込まれた状態で、座２１１の軸穴２４７に室内側ハンドル２０９の取付部２３７の先端部２３９が差し込まれて、先端部２３９の環状溝２４１にＥリング２６１がはめ込まれる。これにより、室内側ハンドル２０９は、座２１１に回転可能に保持される。本実施例では、第四シール材としてのシール材２５９としてＯリングが用いられる。
　【０１３５】
　座２１１に室内側ハンドル２０９が取り付けられた状態で、座２１１の注入穴２５５から軸穴２４７に液材２６３が注入されて、注入穴２５５にネジ２６５がねじ込まれて注入穴２５５は閉塞される。本実施例では、液材２６３としてオイルが用いられる。
　【０１３６】
　液材２６３は、取付部２３７の先端部２３９の外周部に沿って環状に充填され、取付部２３７の外周部を覆う。座２１１の軸穴２４７に貯留される液材２６３は、シール材２５９により外部へ漏れることがない。
　【０１３７】
　座２１１に室内側ハンドル２０９が取り付けられた状態で、連結軸２１３が扉３の穴を介してラッチハブ１６３の穴１８５に通されて、さらに室外側ハンドル２０５の取付部２１７の穴２２３にはめ込まれる。そして、室外側ハンドル２０５の取付部２１７の外周面から連結軸２１３にネジ２６７がねじ込まれて、連結軸２１３が室外側ハンドル２０５に固定される。
　【０１３８】
　室内側の座２１１には、径方向に離隔して２か所に、取付穴２６９が軸方向に貫通して形成されている。そして、室外側の座２０７に設けられた取付柱２２７に、室内側の座２１１の取付穴２６９からネジ２７１がねじ込まれて、扉３の室内外に、ハンドル２０５，２０９がそれぞれ取り付けられる。
　【０１３９】
　このような構成のハンドル装置１６５を有する本実施例９の扉錠１は、デッドボルト１５により本締り可能とされる。つまり、実施例１と同様、室内側からはツマミ５５を操作することで、室外側からはシリンダー装置１９に差し込まれる鍵Ｋを操作することで、デッドボルト１５が進退して施解錠が可能とされる。
　【０１４０】
　また、本実施例９では、ラッチ１６１が常時戸先側へ付勢されており、扉３を閉鎖した状態では、扉枠５に設けられた受け部材に突入して、扉３を仮締りし、扉３の閉鎖状態を維持する。
　【０１４１】
　本実施例では、デッドボルト１５を後退させて解錠した状態で、室外側ハンドル２０５または室内側ハンドル２０９を回転操作することで扉３を開けることができる。
　たとえば、扉３が閉鎖した状態において、室内側ハンドル２０９を図１９において時計方向に回転させることで、室内側ハンドル２０９と一体に連結軸２１３が回転し、さらに、連結軸２１３がはめ込まれたラッチハブ１６３が時計方向に回転する。そして、ラッチハブ１６３と共に係合部材１８７が時計方向に回転して、係合部材１８７の係合片１９３がコ字形状の案内部材１７３の右端片１７７を図１９において右側へ押し込む。これによりラッチ１６１が右側（吊元側）へ移動して、錠ケース１７内に収容されて解錠され、扉３を開けることが可能となる。なお、室外側ハンドル２０５を操作した場合も同様に、扉３を開けることができる。
　【０１４２】
　本実施例では、実施例１と同様、サムターン装置２１は気密性を有している。
　また、室内側ハンドル２０９の取付部２３７と座２１１との間、および座２１１と扉３の室内側面との間にシール材２５９，２５８が設けられ、室内側ハンドル２０９の取付部２３７と座２１１の軸穴２４７との隙間および座２１１の先端面と扉３の室内側面との隙間をシール材２５９，２５８が密閉しており、気密性を有したハンドル装置１６５となっている。さらに、本実施例では、室内側ハンドル２０９の取付部２３７の外周部にオイルなどの液材２６３が充填されることで、より気密性の高いハンドル装置１６５となっている。
　【０１４３】
　ところで、本実施例におけるハンドル装置１６５は、実施例４のサムターン装置２１と同様の構成により気密性を有する構成としたが、実施例１〜実施例３や実施例５のサムターン装置２１の構成を利用して気密性を有する構成としてもよい。
　たとえば、実施例１のサムターン装置２１のように、室内側ハンドル２０９の取付部２３７に環状の取付溝を１つ形成して、この取付溝にシール材を取り付けて、座２１１の軸穴２４７にはめ込むようにしてもよい。また、実施例３のように、取付穴２６９の基端部に環状の取付溝を形成してシール材を取り付けた状態で、ネジ２７１をねじ込むようにしてもよい。
　【０１４４】
　ところで、上記実施例１〜実施例８における扉錠１は、手動で施解錠可能とされたが、実施例１〜実施例８におけるサムターン装置２１は、電動で施解錠可能な扉錠にも適用することができる。つまり、実施例１〜実施例８におけるサムターン装置２１は、電気錠にも適用可能である。そこで、以下において、実施例１におけるサムターン装置２１を備えた電気錠の一例について説明する。
　【実施例１０】
　【０１４５】
　次に、本発明の扉錠の実施例１０について説明する。
　【０１４６】
　図２２および図２３は、本実施例１０の扉錠を示す図であり、図２２は、使用状態を室内側から見た正面図、図２３は、上方から見た図である。
　また、図２４は、図２２の電気錠の縦断面図であり、施錠された状態を示す図である。
　【０１４７】
　以下においては、実施例１と共通または対応する箇所には同一符号を付し、実施例１と異なる部分を中心に説明し、実施例１と同様の構成部分については説明を省略する。
　【０１４８】
　本実施例１０の扉錠１は、手動でデッドボルト１５を進退させて施解錠可能とされると共に、電動でもデッドボルト１５を進退させて施解錠可能な電気錠とされる。
　【０１４９】
　本実施例１０の扉錠１は、本締りが可能な錠とされ、デッドボルト１５が進退可能に設けられた錠ケース１７と、この錠ケース１７に設けられ、デッドボルト１５を進退させる出没操作機構３０１と、鍵Ｋの操作により出没操作機構３０１を介してデッドボルト１５を進退させるシリンダー装置１９と、ツマミ５５の操作により出没操作機構３０１を介してデッドボルト１５を進退させるサムターン装置２１と、出没操作機構３０１を介してデッドボルト１５を進退させるモータ３０３とを主要部に備える。
　【０１５０】
　デッドボルト１５は、錠ケース１７の戸先側端面から出没可能とされ、扉３を施解錠する。デッドボルト１５は、長方形状とされ、その基端部は下方へ延出した後、さらに基端側へ延出して形成されており、基端部の上部には、上方へ開口する矩形状の凹部３０５が形成されている。
　【０１５１】
　錠ケース１７には、電気的な施解錠操作により作動するモータ３０３が設けられており、このモータ３０３に、デッドボルト１５を進退させる出没操作機構３０１が接続されている。
　【０１５２】
　出没操作機構３０１は、モータ３０３の回転軸に設けられた歯車３０７にかみ合わされる第一歯車３０９と、この第一歯車３０９と同軸上に配置され、第一歯車３０９と共に回転する第二歯車３１１と、第一歯車３０９および第二歯車３１１を保持する軸３１３に回転可能に取り付けられる第一作動部材３１５と、この第一作動部材３１５に設けられ、第二歯車３１１にかみ合わされる第三歯車３１７および第四歯車３１９とを備える。
　さらに、出没操作機構３０１は、第一作動部材３１５の回転に応じて回転する第二作動部材３２１と、この第二作動部材３２１と同軸上に設けられる回動部材３２３と、この回動部材３２３と噛み合わされるハブ３２５とを備える。
　【０１５３】
　第一歯車３０９は、かさ歯車とされ、錠ケース１７に前後方向に沿って設けられる軸３１３に回転可能に保持される。第一歯車３０９は、モータ３０３の回転軸に取り付けられたかさ歯車３０７にかみ合わされている。
　【０１５４】
　第一歯車３０９の基端側（室内側）に、第二歯車３１１が軸３１３に通されて配置されている。本実施例では、第一歯車３０９と第二歯車３１１は、一体化されており、第一歯車３０９と第二歯車３１１は一体回転する。
　また、第二歯車３１１の基端側に、板状の第一作動部材３１５が重ね合わされて設けられており、第一作動部材３１５は軸３１３に回転可能に保持されている。
　【０１５５】
　第一作動部材３１５には、図２４において、下端部に矩形状の切欠き部３２７が形成されている。また、図２４に示すように、第一作動部材３１５には、第三歯車３１７と第四歯車３１９が左右に離隔して回転可能に取り付けられており、この第三歯車３１７と第四歯車３１９は第二歯車３１１にそれぞれかみ合わされている。第三歯車３１７と第四歯車３１９の間に第一作動部材３１５の切欠き部３２７が配置されている。
　【０１５６】
　第二作動部材３２１は、円板形状とされる一方、その外周部の一部には周方向に沿って円弧状に切り欠かれて開口部３２９が形成されている。また、第二作動部材３２１の外周部には、径方向外側へ突出して矩形状の突部３３１が形成されている。第二作動部材３２１は、回動部材３２３の基端側に重ね合わされた状態で、錠ケース１７に立設される軸３３３に回転可能に保持されている。
　【０１５７】
　回動部材３２３は、円柱形状とされ、その外周部の一部には、歯３２３ａが周方向に沿って多数形成されている。図示例では、径方向に離隔した２か所に、歯３２３ａがそれぞれ形成されている。
　【０１５８】
　また、回動部材３２３には、径方向外側へ突出して矩形状の支持部３４１が設けられている。さらに、回動部材３２３の基端面（室内側面）には、基端側（室内側）へ突出して円弧状の突部３４３が形成されている。
　【０１５９】
　回動部材３２３は、錠ケース１７に立設された軸部３３３に回転可能に保持される。この回動部材３２３の基端側（室内側）に第二作動部材３２１が重ね合わされて、第二作動部材３２１は軸部３３３に回転可能に保持されている。この際、第二作動部材３２１は、その開口部３２９に、回動部材３２３の突部３４３が配置されるように、回動部材３２３に重ね合わされて設けられる。
　また、第二作動部材３２１の突部３３１は、第一作動部材３１５の切欠き部３２７に差し込まれている。
　【０１６０】
　回動部材３２３の支持部３４１には、付勢手段３４７が接続されている。
　図示例では、支持部３４１から室外側へ突出するピン３４９が、付勢手段３４７の板状部３５１の穴に、回転可能にはめ込まれて接続されている。
　板状部３５１は、軸３５３まわりに回転可能とされると共に、バネ３５５により軸３５３の径方向外側へ付勢されている。
　回動部材３２３は、施錠状態および解錠状態における停止位置において、付勢手段３４７によりその安定方向へ付勢される。
　【０１６１】
　ハブ３２５は、略円柱形状とされ、その軸方向両端部３２５ａは、縮径して形成されている。ハブ３２５の中央部には、軸方向に貫通して係合穴３６１が形成されている。この係合穴３６１は、円形状とされる一方、直径方向に離隔した位置に径方向内側へ突出して三角形状部３６１ａが形成されている。また、ハブ３２５の外周部の一部には、多数の歯３６３が周方向に沿って形成されている。さらに、ハブ３２５の外周面の一部には、径方向外側へ突出して矩形状の係止部３６５が一体形成されている。
　【０１６２】
　ハブ３２５は、その軸方向両端部３２５ａが錠ケース１７の穴にはめ込まれて、錠ケース１７に回転可能に保持される。また、この際、係止部３６５は、デッドボルト１５の基端部の凹部３０５に差し込まれている。
　【０１６３】
　なお、モータ３０３や錠ケース１７内に設けられる検出スイッチＳに接続されるリード線３６９は、錠ケース１７から導出され、扉３内を通されて、扉３の吊元側端部から扉枠５へさらに通されて、制御盤に接続されている。
　【０１６４】
　上記実施例１と同様にして、サムターン軸５１の先端部５９が、扉３の穴および錠ケース１７の穴を介してハブ３２５の係合穴３６１にはめ込まれて、室内側にサムターン装置２１が取り付けられる。また、実施例１と同様にして室外側にシリンダー装置１９が取り付けられる。
　【０１６５】
　このような構成の本実施例の扉錠１は、電気的に施解錠操作がなされるとモータ３０３が回転して、出没操作機構３０１によりデッドボルト１５が進退する。
　たとえば、図２４に示す施錠状態において、電気的に解錠操作がなされた場合、モータ３０３が回転して、第一歯車３０９が反時計方向に回転し、これに伴って、第二歯車３１１も反時計方向に回転する。第二歯車３１１に噛み合わされた第三歯車３１７と第四歯車３１９は時計方向に回転し、第三歯車３１７と第四歯車３１９を軸支する第一作動部材３１５は、反時計方向に回転する。
　【０１６６】
　第一作動部材３１５が反時計方向に回転することで、第一作動部材３１５の切欠き部３２７に、突部３３１が差し込まれている第二作動部材３２１は、時計方向に回転する。
　そして、第二作動部材３２１の開口部３２９に、突部３４３が配置された回動部材３２３は、開口部３２９の一端部に突部３４３が当接した状態で、時計方向に回転する。
　回動部材３２３に噛み合わされたハブ３２５は、反時計方向に回転してデッドボルト１５を後退させて、解錠される。
　【０１６７】
　また、図２４に示す施錠状態において、サムターン装置２１のツマミ５５を操作して解錠する場合、ツマミ５５を反時計方向に回転させればよい。
　これにより、ハブ３２５も反時計方向に回転してデッドボルト１５は後退する。
　なお、図２４に示す施錠状態において、ツマミ５５を操作した際、ハブ３２５に噛み合わされた回動部材３２３は、時計方向に回転する。この際、回動部材３２３の突部３４３は、第二作動部材３２１の開口部３２９内を移動することで、第二作動部材３２１が回転することはない。
　【０１６８】
　このように、本実施例１０の扉錠１は、手動で施解錠可能とされると共に、電動でも施解錠可能とされる。そして、前記実施例１と同様、気密性および水密性を有した扉錠１とされる。
　【実施例１１】
　【０１６９】
　次に、本発明の扉錠の実施例１１について説明する。
　本実施例１１の扉錠は、基本的には上記実施例１０の扉錠と同様の構成である。そこで、以下においては、実施例１０と対応する箇所には同一符号を付すと共に、両者の異なる部分を中心に説明し、実施例１０と同様の構成部分については説明を省略する。
　【０１７０】
　図２５は、本発明の扉錠の実施例１１を示す図であり、使用状態を上方から見た概略横断面図である。
　【０１７１】
　実施例１０では、錠ケース１７を扉３内に設けたが、本実施例１１では、扉３の室外側面に錠ケース１７が取り付けられる、いわゆる面付け錠とされる。
　【０１７２】
　具体的には、錠ケース１７は、矩形箱状の取付ケース３７１に収容された状態で、扉３の室外側面に取り付けられる。取付ケース３７１の戸先側端部３７３には、矩形状の開口部が形成されて、この開口部から錠ケース１７が取付ケース３７１にはめ込まれて設けられている。そして、フロント板２９を介して取付ケース３７１の戸先側端部３７３にネジ３１がねじ込まれて、取付ケース３７１に錠ケース１７が固定される。
　【０１７３】
　錠ケース１７が固定された取付ケース３７１は、扉３の室外側面に当接して設けられ、取付ケース３７１の室外側端面から扉３に向けてネジ３７７がねじ込まれて、取付ケース３７１が扉３の室外側端面に固定される。
　【０１７４】
　そして、上記実施例１と同様にして、室外側にシリンダー装置１９が設けられ、室内側にサムターン装置２１が設けられる。
　本実施例では、上記実施例１よりサムターン軸５１が長く形成されており、扉３を貫通して錠ケース１７のハブ３５に差し込まれている。また、シリンダー装置１９の取付柱４５が、上記実施例１より長く形成されており、取付ケース３７１および錠ケース１７を介して、扉３の内部にまで延出している。そして、サムターン装置２１の胴部材５３からネジ７３がねじ込まれて、サムターン装置２１およびシリンダー装置１９が扉３に固定される。
　【０１７５】
　リード線３６９は、取付ケース３７１から導出されて、室外側を通って、制御盤に接続される。つまり、本実施例では、リード線３６９は、扉３内および室内側へ入り込むことなく、制御盤に接続される。
　【０１７６】
　本実施例では、錠ケース１７が扉３の室外側面に設けられていることで、実験室内において揮発性ガスが発生し、万が一、室外側へガスが漏れ出た場合でも、モータ３０３を駆動させる電気などがガスに引火するおそれがなく、気密性を有すると共に、安全性の高い扉錠とされる。
　【実施例１２】
　【０１７７】
　次に、本発明の扉錠の実施例１２について説明する。
　本実施例１２の扉錠は、基本的には上記実施例１１の扉錠と同様の構成である。そこで、以下においては、実施例１１と対応する箇所には同一符号を付すと共に、両者の異なる部分を中心に説明し、実施例１１と同様の構成部分については説明を省略する。
　【０１７８】
　図２６は、本発明の扉錠の実施例１２を示す図であり、使用状態を上方から見た概略断面図である。
　【０１７９】
　上記実施例１１では、取付ケース３７１に収容された錠ケース１７を扉３の室外側面に取り付けたが、本実施例１２では、扉３の室外側に、扉３の室外側面から離隔して取り付けられる。
　【０１８０】
　具体的には、図２６に示すように、扉３の室外側面に左右（扉の幅方向）に断面コ字形の棒状の取付部材３８１が設けられ、この取付部材３８１に取付ケース３７１が重ね合わされて設けられる。
　そして、取付ケース３７１の室外側端面から取付部材３８１を介して扉３にネジ３７７がねじ込まれて、錠ケース１７を収容した取付ケース３７１が扉３の室外側に、扉３の室外側面から離隔して取り付けられる。つまり、錠ケース１７と扉３との間に空間を設けた状態で、錠ケース１７が扉３に離隔して取り付けられる。
　また、前記実施例１と同様にして、錠ケース１７にシリンダー装置１９が取り付けられ、このシリンダー装置１９の取付柱４５に、サムターン装置２１からネジ７３がねじ込まれてシリンダー装置１９およびサムターン装置２１が扉３に固定される。
　【０１８１】
　本実施例１２では、室外側において、錠ケース１７が扉３との間に空間を設けた状態で、扉３に離隔して設けられることで、万が一、実験室内でガスが発生し、室外側へ漏れ出た場合でも、錠ケース１７と扉３との間に空間が形成されていることで、ガスは空間部で拡散し、ガスが錠ケース１７内に侵入するおそれがなく、ガスに引火するおそれがなく、気密性を有すると共に、安全性の高い扉錠１とされる。
　【実施例１３】
　【０１８２】
　次に、実施例１におけるサムターン装置２１を備える一方、電動で施解錠可能な扉錠（電気錠）の別の例について説明する。
　なお、以下においては、実施例１と共通または対応する箇所には同一符号を付すと共に、実施例１と同様の構成部分については説明を省略する。
　【０１８３】
　図２７は、本発明の扉錠の実施例１３を示す図であり、使用状態を室内側から見た正面図である。
　図２８および図２９は、図２７の扉錠の断面図であり、図２８は解錠した状態、図２９は施錠した状態を示している。
　【０１８４】
　本実施例１３の扉錠１は、扉３の戸先側端部に内蔵される錠ケース１７と、この錠ケース１７に設けられ、錠ケース１７の戸先側端面から出没可能なデッドボルト１５と、このデッドボルト１５を進退させるカム４０１と、このカム４０１を回転操作するハンドル装置１６５と、デッドボルト１５を後退可能または後退不可能状態に制御する施錠機構４０３と、この施錠機構４０３に接続されるソレノイド４０４と、ハブ４６５に接続されるシリンダー装置１９と、ハブ４６５に接続されるサムターン装置２１とを主要部に備える。
　【０１８５】
　デッドボルト１５は、左右方向に移動可能に錠ケース１７内に設けられる。
　本実施例のデッドボルト１５は、錠ケース１７の戸先側端面２３から突出して扉枠５の戸先側縦枠に設けられた受（不図示）の受穴に突入する頭部４０５と、この頭部４０５に設けられる丸棒状の軸部４０７と、この軸部４０７が挿通されるガイド板４０９とを有する。
　【０１８６】
　頭部４０５は、矩形状のブロック体とされ、その左端部は、室内側へ行くに従って右側へ傾斜する傾斜面４０５ａが形成され、中央部は室内側も直線部が形成されている。
　また、頭部４０５の右端部には、右側へ開口する筒状部４１１が一体に形成されており、この筒状部４１１に軸部４０７の左端部がはめ込まれて頭部４０５に軸部４０７が固定されている。
　【０１８７】
　軸部４０７は、その軸方向が左右方向に沿うように配置されて、錠ケース１７の室外側壁面に固定された支持部材４１３に挿通されている。支持部材４１３は、板材を屈曲して形成された右側へ開口するコ字形材とされ、その中央片には左右方向に沿って貫通穴が形成されている。この支持部材４１３の貫通穴に軸部４０７が挿通されて、軸部４０７は支持部材４１３に左右方向に移動可能に保持される。
　【０１８８】
　ガイド板４０９は、板材を屈曲して形成された上方へ開口する略コ字形材とされ、その左右端片４１７，４１９間を架け渡すように軸部４０７が挿通されて、ガイド板４０９は軸部４０７に固定されている。
　【０１８９】
　ガイド板４０９の左端片４１７は、頭部４０５の筒状部４１１に当接すると共に、その上端部が筒状部４１１の周側面に沿って左側へ屈曲され、さらに頭部４０５の右端面に沿って上方へ屈曲されて、略Ｌ字形の段部４２３が形成されている。
　また、ガイド板４０９の右端片４１９には、室内側および室外側へ突出して矩形状の突部４２５が一体に形成されている。この突部４２５は、錠ケース１７のガイド穴（不図示）に差し込まれている。
　【０１９０】
　そして、軸部４０７にガイド板４０９が取り付けられた状態において、軸部４０７の右端部４２７は、ガイド板４０９の右端片４１９から右側へ延出している。
　このような構成の頭部４０５、軸部４０７およびガイド板４０９は左右方向に一体に移動する。
　【０１９１】
　また、軸部４０７にガイド板４０９が取り付けられた状態において、支持部材４１３は、ガイド板４０９の左右端片４１７，４１９間に配置されている。
　さらに、軸部４０７には、バネ４３１が挿通されており、バネ４３１の一端部がガイド板４０９の左端片４１７に当接する一方、他端部が支持部材４１３の中央片に当接している。これによりデッドボルト１５は、戸先側へ常時付勢されており、頭部４０５は、錠ケース１７の戸先側端面２３、フロント裏板２５およびフロント板２９の穴２３ａ，２５ａ，２９ａを介して戸先側へ突出可能とされている。
　そして、閉扉された状態においては、図２８や図２９に示すように、頭部４０５は錠ケース１７から突出して、扉枠５に設けられる受に突入する。
　なお、軸部４０７の右端部には、抜け止め防止のために矩形状の板材４３０が取り付けられている。
　【０１９２】
　カム４０１は、断面四角形の柱形状とされると共に、その軸方向両端部４３２は、円形状に形成されている。カム４０１の中央部には、軸方向に沿って四角形状の貫通穴４３３が形成されている。このカム４０１には、作動部材４３５が取り付けられている。
　【０１９３】
　作動部材４３５は、板材を屈曲して形成されたコ字形状材とされ、その前後両端片４３７には、矩形状の貫通穴４３９がそれぞれ形成されている。また、作動部材４３５の前後両端片４３７には、それぞれ、上方へ矩形状に突出して作動片４４０が形成されている。
　【０１９４】
　カム４０１は、ねじりバネ４４１が通された状態で、作動部材４３５の前後両端片４３７，４３７間に配置され、作動部材４３５の前後両端片４３７の貫通穴４３９にはめ込まれて作動部材４３５に取り付けられる。このようにカム４０１が設けられた作動部材４３５は、カム４０１と一体回転可能とされる。
　【０１９５】
　作動部材４３５に装着されたカム４０１は、その軸方向両端部４３２が、作動部材４３５の前後両端片４３７から前後方向外側へ突出しており、この軸方向両端部４３２が、それぞれ錠ケース１７の穴にはめ込まれて、錠ケース１７に回転可能に保持される。
　【０１９６】
　図２８および図２９に示すように、デッドボルト１５が錠ケース１７から突出した状態において、作動部材４３５の各作動片４４０は、ガイド板４０９の右端片４１９に近接して配置される。
　【０１９７】
　また、ねじりバネ４４１の一端部４４１ａは、錠ケース１７に立設された柱材４４７に当接している。さらに、作動部材４３５の前後両端片４３７には、円弧状に切り欠かれて開口部４４９が形成されている。錠ケース１７にカム４０１が取り付けられ、デッドボルト１５が突出した状態では、作動部材４３５の前後両端片４３７の開口部４４９の一端部に、錠ケース１７に立設された柱材４４７が当接している。
　【０１９８】
　錠ケース１７に取り付けられたカム４０１は、ねじりバネ４４１により図２８において反時計方向に付勢されているが、作動部材４３５の前後両端片４３７の開口部４４９の一端部が柱材４４７に当接することで、一定以上の回転が規制されている。
　なお、デッドボルト１５は、ガイド板４０９の突部４２５が、錠ケース１７のガイド穴の端部に当接することで、一定以上の突出が規制される。
　【０１９９】
　ハンドル装置１６５は、上記実施例９におけるハンドル装置１６５と同様の構成とされ、室外側に設けられ、回転操作によりデッドボルト１５を後退させる室外側ハンドル２０５と、この室外側ハンドル２０５を回転可能に保持する座２０７と、室内側に設けられ、回転操作によりデッドボルト１５を後退させる室内側ハンドル２０９と、この室内側ハンドル２０９を回転可能に保持する座２１１と、室内側ハンドル２０９と室外側ハンドル２０５とを連結するように設けられ、カム４０１の貫通穴４３３にはめ込まれる連結軸２１３とを備え、上記実施例９と同様にして取り付けられる。本実施例１３におけるハンドル装置１６５は、上記実施例９と同様の構成とされるため、詳細な説明については省略する。
　【０２００】
　施錠機構４０３は、ソレノイド４０４に接続されるテコ部材４６１と、このテコ部材４６１の動作に応じてデッドボルト１５の後退を規制するストッパー４６３と、シリンダー装置１９およびサムターン装置２１が接続されるハブ４６５と、ハブ４６５にかみ合わされる従動部材４６７とを備える。
　【０２０１】
　テコ部材４６１は、板状とされ、錠ケース１７に立設される軸４６９に回転可能に保持されている。テコ部材４６１には、図２８において、上方へ矩形状に延出して第一片４７１が形成されており、この第一片４７１には、コ字状の溝４７３が形成されている。このテコ部材４６１の第一片４７１は、ソレノイド４０４に設けられたプランジャ４７５に連結される。
　【０２０２】
　プランジャ４７５は、ソレノイド４０４に対して左右方向に進退可能に連結されている。ソレノイド４０４は、リード線４７６を介して遠隔の管理室などから通電制御できるようにされており、通電によりプランジャ４７５を吸引駆動する。
　つまり、ソレノイド４０４に通電された場合、プランジャ４７５はソレノイド４０４に引き込まれ、図２８において右側へ移動する。
　【０２０３】
　プランジャ４７５は、円柱形状とされ、その先端部には、室外側へ突出してピン４７７が設けられており、このピン４７７が、第一片４７１の溝４７３に差し込まれて、テコ部材４６１がソレノイド４０４のプランジャ４７５に連結される。
　【０２０４】
　テコ部材４６１には、下方へ矩形状に延出して第二片４７９が形成されており、この第二片４７９には室内側へ突出して連結ピン４８１が設けられている。
　【０２０５】
　テコ部材４６１を回転可能に保持する軸４６９には、ねじりバネ４８３が通されており、テコ部材４６１は、このねじりバネ４８３により、図２８において反時計方向に付勢されている。
　【０２０６】
　ストッパー４６３は、錠ケース１７に前後方向に沿って設けられる枢軸４８５を共用して回動可能に保持される第一ストッパー４８７と第二ストッパー４８９とを有する。
　【０２０７】
　第一ストッパー４８７は、矩形板状とされ、枢軸４８５まわりに回動可能に錠ケース１７に保持されている。施錠状態において、第一ストッパー４８７は、その一端部４９０が、デッドボルト１５の段部４２３に係合する。
　【０２０８】
　第二ストッパー４８９は、左右に長い略矩形状の板状体とされると共に、その中央部は、上方へ突出して形成されている。また、第二ストッパーの右端部４９１は、下方へ行くに従って右側へ傾斜して形成され、その下端部は円弧状に形成されている。
　第二ストッパー４８９の中央部の上部には、左右方向に長い矩形状の貫通穴４９３が形成されている。
　【０２０９】
　また、第二ストッパー４８９の中央部には、先端側（室外側）へ突出してピン４９５が一体に設けられている。
　【０２１０】
　第二ストッパー４８９は、第一ストッパー４８７の基端側に配置されて、その左右方向中央部に枢軸４８５がはめ込まれて、枢軸４８５まわりに回動可能に錠ケース１７に保持されている。
　【０２１１】
　枢軸４８５には、２つのねじりバネ５０１，５０３が通されている。
　一方のねじりバネ５０１により、第一ストッパー４８７が枢軸４８５まわりに反時計方向へ付勢されている。
　【０２１２】
　また、他方のねじりバネ５０３により、第二ストッパー４８９が、枢軸４８５まわりに反時計方向へ付勢されている。
　【０２１３】
　図２８に示す解錠状態では、第一ストッパー４８７の右端部５０５は第二ストッパー４８９の第二ピン４９５に反時計方向側から当接して、反時計方向側への回転が規制されている。
　【０２１４】
　ハブ４６５は、円柱状とされ、その中央部には、円形の係合穴５１１が軸方向に貫通して形成されている一方、係合穴５１１の径方向両端部には、径方向内側へ突出して三角形状部５１３が形成されている。また、ハブ４６５の外周部には、多数の歯５１５が周方向に沿って形成されている。ハブ４６５は、錠ケース１７に固定された下方へ開口する略コ字形状の保持部材５１６に回転可能に保持されている。
　【０２１５】
　従動部材４６７は、板状とされ、軸５１７に回転可能に保持されている。従動部材４６７には、歯５１９が形成されており、ハブ４６５の歯５１５と噛み合わされている。また、従動部材４６７には、その左端部にピン５２１が室内側へ突出して形成されている。
　さらに、従動部材４６７は、軸５１７に通されるねじりバネ５２３により時計方向に付勢されている。従動部材４６７は、錠ケース１７に立設された柱材５２５に当接することで、反時計方向への一定以上の回転が規制される。
　【０２１６】
　上記実施例１と同様にして、ハブ４６５の係合穴５１１に、室内側に設けられるサムターン装置２１のサムターン軸５１がはめ込まれると共に、室外側に設けられるシリンダー装置１９の作動片４７がはめ込まれて設けられる。
　【０２１７】
　このような構成の本実施例１３の扉錠１は、図２８に示す解錠状態において、電気的な施錠操作がなされると、通電されてプランジャ４７５がソレノイド４０４に引き込まれて、図２８の状態において右側へ移動する。
　これによりプランジャ４７５に接続されたテコ部材４６１が時計方向に回転し、第二ストッパー４８９がバネ５０３の付勢力により反時計方向に回転する。これに伴って、第一ストッパー４８７もバネ５０１の付勢力により反時計方向に回転して、左端部がデッドボルト１５の段部４２３に係合する。
　【０２１８】
　このように第一ストッパー４８７の左端部がデッドボルト１５の段部４２３に係合することで、デッドボルト１５の後退が規制され、図２９に示す施錠状態となる。
　この際、第一ストッパー４８７の右端部５０５は第二ストッパー４８９の第二ピン４９５に反時計方向側から当接または近接している。
　また、第二ストッパー４８９は、その左端部は第一ストッパー４８７の左端部より若干右側に配置されてデッドボルト１５の段部４２３に当接または近接している。
　【０２１９】
　施錠状態から解錠する場合、電気的に解錠信号を送ると、制御盤によりソレノイド４０４への通電が断たれ、テコ部材４６１は、バネ４８３の付勢力により反時計方向に回転する。これにより、第二ストッパー４８９が時計方向に回転し、さらにピン４９５により第一ストッパー４８７も時計方向に回転して、段部４２３から離脱し、図２８に示す解錠状態となる。
　【０２２０】
　本実施例では、施錠状態において、サムターン装置２１のツマミ５５を操作することでも解錠することができる。具体的には、図２９に示す施錠状態において、ツマミ５５を時計方向に回転させることで、サムターン軸５１がハブ４６５を時計方向に回転させる。
　【０２２１】
　ハブ４６５が時計方向に回転することで、従動部材４６７は反時計方向に回転し、ピン５２１が第二ストッパー４８９の右端部４９１を下方へ押し込み、第二ストッパー４８９は時計方向に回転し、これに伴って第一ストッパー４８７も時計方向に回転して段部４２３から離脱して、デッドボルト１５の後退規制が解除され、解錠状態とされる。この解錠状態において室内側ハンドル２０９を操作してデッドボルト１５を後退させればよい。
　【０２２２】
　このように、本実施例の扉錠は、電動により施解錠可能とされると共に、サムターン装置２１またはシリンダー装置１９によりデッドボルト１５の後退規制が解除され解錠することが可能とされる。
　【０２２３】
　ところで、本実施例１３におけるデッドボルト１５は、ダブルスロー方式といわれる二段階突出式とされる。
　具体的には、閉扉した状態では、デッドボルト１５の突出量は大きくなり（第二段階の突出状態）、図２８に示す状態となる。
　そして、図２８の解錠状態で、例えば室内側ハンドル２０９を操作して、デッドボルト１５を完全に後退させて開扉した後、室内側ハンドル２０９から手を放すと、デッドボルト１５は突出するが、錠ケース１７に設けられたトリガー装置Ｔの作用により、突出量は小さく（第一段階の突出状態）なり、いわゆるラッチの状態となり保持される。
　【０２２４】
　また、本実施例１３では、図２８に示す状態において、通電されることで、図２９に示すように、第一ストッパー４８７および第二ストッパー４８９が段部４２３に係合して施錠される構成とされ、いわゆる通電時施錠型とされたが、通電されることで、図２９の状態から図２８に示す状態となるものや（通電時解錠型）、通電されることで、図２８の状態と図２９の状態が入れ替わるものがあり（通電時施解錠型）、本実施例１のサムターン装置２１は、これら電気的作動形式に関係なく使用することが可能である。
　【０２２５】
　本実施例１３では、実施例１と同様、サムターン装置２１は気密性を有しており、さらに、実施例９と同様、ハンドル装置１６５は気密性を有していることで、本実施例の扉錠１２は気密性を有した構造となっており、室内側で発生したガスが外部へ漏れだすことはない。
　【０２２６】
　ところで、実施例１０〜実施例１３では、実施例１におけるサムターン装置２１を備える扉錠としたが、上記実施例２〜８におけるサムターン装置２１を備える構成としてもよい。つまり、実施例１〜実施例８におけるサムターン装置２１は、各種電気錠に適用可能である。また、実施例１３では、実施例９におけるハンドル装置１６５を備える構成としたが、実施例１〜実施例３および実施例５におけるサムターン装置２１の構造を利用したハンドル装置を備える構成としてもよい。
　【０２２７】
　前記各実施例における扉錠１は、気密性を有している。
　これにより、実験室の扉に用いた場合、実験室で揮発性ガスが発生しても、外部へ漏れ出ることがなく安全である。
　また、ガスが外部へ漏れないので、電気錠を通常の取付方法で使用できる。つまり、扉の内部に錠ケースを内蔵するようにして、電気錠を取り付けることができる。このように、電気錠を使用できることで、実験室と前室との２箇所の扉錠を自動的に制御するインターロック方式が採用可能とされ、極めて有効とされる。更なる安全性を考慮する場合には、前記実施例１１や実施例１２のように、錠ケースを面付けにしたり、扉との間に空間を設けて錠ケースを扉に固定したりすればよい。
　【０２２８】
　また、有毒ガスが漏れ出るおそれがないので、薬品貯蔵庫の扉錠としても使用することができる。
　また、外部出入口に使用することにより、水害や津波によって建物が水没しても、水の建屋内への進入を防ぐことができる。
　さらに、浴室に使用することにより、水分（湿気）の建屋内への進入を防ぐことができる。
　【０２２９】
　本発明の扉錠は、上記各実施例の構成に限らず、適宜変更可能である。
　上記実施例１〜実施例３では、サムターン軸５１と胴部材の軸穴との隙間、胴部材と扉の室内側面との隙間、または胴部材の取付穴とネジとの隙間にシール材を配置して気密性を有する構成としたが、これらの組み合わせは適宜変更可能である。
　【０２３０】
　また、上記各実施例において錠ケース１７に設けられる出没操作機構や、施錠機構の構成は適宜変更可能であり、従来公知の構造を適用可能である。
　【０２３１】
　また、実施例２において、胴部材の先端面にシール材としてＯリングを設けたが、実施例６と同様に、板状のシール材を扉３に設けてもよい。つまり、扉の室内側面に板状のシール材を固定し、このシール材に胴部材を重ね合わせて配置し、シール材に形成した穴を介してサムターン軸５１を扉の穴に差し込むよう構成してもよい。
　【０２３２】
　また、上記実施例４では、液材としてオイルを使用したが、グリスを使用してもよく、注入される液材は、適宜変更可能である。
　【０２３３】
　また、上記各実施例では、シール材としてＯリングを用いたが、他のシール材であってもよい。
　【０２３４】
　上記実施例９では、ハンドル装置の操作部（室内側ハンドル、室外側ハンドル）としてレバー形のハンドルを用いたが、ノブを使用してもよい。
　また、実施例９では、座２１１の軸穴２４７に取付溝２４９を形成してシール材を設けたが、室内側ハンドル２０９の取付部２３７の先端部２３９に取付溝を形成して、シール材を設けるようにしてもよい。
　【０２３５】
　さらに、上記各実施例では、外開き扉に扉錠を適用したが、内開き扉に扉錠を適用してもよいことは言うまでもない。たとえば、図２６に示す実施例１２の扉錠１の変形例として、図３０に示すように、室内側に扉が開くよう構成してもよい。このように内開き扉とすることで、室内において爆発が発生し、扉が風圧により室外側へ押し込まれても、扉枠に当接することで扉が開くおそれがない。
　【符号の説明】
　【０２３６】
　　　１　扉錠
　　　５　扉枠
　　１５　デッドボルト
　　１７　錠ケース
　　１９　シリンダー装置
　　２１　サムターン装置
　　３５　ハブ
　　５１　サムターン軸
　　５３　胴部材
　　５５　ツマミ
　　６９　シール材（第一シール材）
　　７９　シール材（第二シール材）
　　８７　シール材（第三シール材）
　　９９　液材
　１０７　シール材（第一シール材）
　１１５　シール材（第二シール材）
　１５１　シール材（第二シール材）
　１６１　ラッチ
　１６５　ハンドル装置
　２０５　室外側ハンドル（操作部）
　２０９　室内側ハンドル（操作部）
　２１１　座
　２５９　シール材（第四シール材）
　３０１　出没操作機構（電動部）
（５７）【特許請求の範囲】
　【請求項１】
　
水害や津波によって水没しうる
中空の外開き
扉面に
ラッチは操作することなく
　回転動作により前記デッドボルトを進退させるか、デッドボルトの後退規制を解除するサムターン軸と、
　このサムターン軸を回転可能に保持する胴部材とを備え、
　前記サムターン軸と前記胴部材との間
であって、軸方向中途部に周方向に沿って環状に形成されてなる取付溝に装着されたＯリングからなる
ことを特徴とするサムターン装置。
　【請求項２】
　前記胴部材と
前記外開き
　ことを特徴とする請求項１に記載のサムターン装置。
　【請求項３】
　前記胴部材には、筒状のカラーが取り付けられており、
　このカラーと
前記外開き
　ことを特徴とする請求項２に記載のサムターン装置。
　【請求項４】
　前記胴部材と、それを取り付けるためのネジとの間に第三シール材が設けられる
ことを特徴とする請求項１から請求項３のいずれかに記載のサムターン装置。
　【請求項５】
　前記デッドボルトが電動で進退するか、後退を規制される電気錠とされ、
　その電動部は、前記錠ケースに内蔵されている
　ことを特徴とする請求項１から請求項４のいずれかに記載の
サムターン装置を備える
　【請求項６】
　前記錠ケースに進退可能に設けられ、戸先側へ突出するよう付勢されるラッチと、
　このラッチを後退させる室内側操作部と、
　この室内側操作部を回転可能に保持する座とをさらに備え、
　前記室内側操作部と、前記座との間に第四シール材が設けられる
　ことを特徴とする請求項５に記載の扉錠。